(57)【要約】【課題】背景画像と識別情報とを好適に表示することにより、識別情報を強調した表示とすることができる遊技機を提供する。【解決手段】数字図柄Ｆ１と背景画像が重畳して表示されないときには、背景画像としてのキャラクタ画像Ｄ１を視認性の高い状態で表示し、数字図柄Ｆ１と背景画像が重畳して表示されるときには、背景画像としてのキャラクタ画像Ｄ２を視認性の低い状態で表示する。【選択図】図１２
2018099450.tif 000002
【特許請求の範囲】
【請求項１】
識別情報の変動表示を実行し、遊技者にとって有利な有利状態に制御可能な遊技機であって、
背景画像と、当該背景画像に重畳する前記識別情報とを表示可能な表示手段とを備え、
前記表示手段は、前記識別情報の変動表示が実行されているときに、前記背景画像の視認性を第１の視認性と、当該第１の視認性よりも視認性を低下させた第２の視認性とに変化させて表示することが可能である、遊技機。
【発明の詳細な説明】
【技術分野】
【０００１】
本発明は、パチンコ遊技機等の遊技機に関し、特に、識別情報の変動表示を実行し、遊技者にとって有利な有利状態に制御可能な遊技機に関する。
【背景技術】
【０００２】
このような遊技機としては、背景画像に重畳させて識別情報を変動表示させるものがあった（特許文献１）。
【先行技術文献】
【特許文献】
【０００３】
【特許文献１】特開２００２−１８０２０号公報
【発明の概要】
【発明が解決しようとする課題】
【０００４】
しかし、前述した特許文献１の遊技機では、識別情報の表示態様と背景画像の表示態様との視認性について十分に考慮されていないため、背景画像により変動表示中の識別情報が強調表示し難くなる場合があった。
【０００５】
本発明は、かかる実情に鑑み考え出されたものであり、その目的は、背景画像と識別情報とを好適に表示することにより、識別情報を強調した表示とすることができる遊技機を提供することである。
【課題を解決するための手段】
【０００６】
（１）  識別情報の変動表示を実行し、遊技者にとって有利な有利状態（大当り遊技状態等）に制御可能な遊技機（パチンコ遊技機１等）であって、
背景画像（図１２のキャラクタ画像Ｄ１，キャラクタ画像Ｄ２等）と、当該背景画像に重畳する前記識別情報（図１２の数字図柄Ｆ１等）とを表示可能な表示手段（演出制御用マイクロコンピュータ１００，演出表示装置９等）とを備え、
前記表示手段は、前記識別情報の変動表示が実行されているときに、前記背景画像の視認性を第１の視認性（図１２のキャラクタ画像Ｄ１に示すような視認性が高い状態等）と、当該第１の視認性よりも視認性を低下させた第２の視認性（図１２のキャラクタ画像Ｄ２に示すような視認性が低い状態等）とに変化させて表示することが可能である。
【０００７】
このような構成によれば、背景画像と識別情報とを好適に表示することにより、識別情報を強調した表示とすることができる。
【０００８】
（２）  前記（１）の遊技機であって、
前記表示手段は、前記背景画像をぼかすことにより当該背景画像の視認性を前記第２の視認性に変化させて表示する（図１２（ｄ），（ｆ），（ｇ）に示すように、ぼかした表示態様のキャラクタ画像Ｄ２で表示する等）。
【０００９】
このような構成によれば、背景画像をぼかすことにより、識別情報を強調した表示とすることができる。
【００１０】
（３）  前記（１）の遊技機であって、
前記表示手段は、前記背景画像に別画像を重畳することにより当該背景画像の視認性を前記第２の視認性に変化させて表示する（変形例に示すように、背景画像に別画像を重畳させることにより、背景画像の視認性を低下させる等）。
【００１１】
このような構成によれば、背景画像に別画像を重畳することにより、識別情報を強調した表示とすることができる。
【００１２】
（４）  前記（１）から（３）のいずれかの遊技機であって、
前記識別情報は、複数種類設けられ（１〜９の数字図柄が設けられている等）、
前記表示手段は、複数種類の前記識別情報のうち特定の識別情報を強調表示するときに、前記背景画像の視認性を前記第２の視認性に変化させて表示する（図１２（ｄ），（ｆ），（ｇ）に示すように、３，４，５のような図柄煽り演出に対応した数字図柄Ｆ１が拡大されて表示されるときに視認性を低下させたキャラクタ画像Ｄ２で表示する等）。
【００１３】
このような構成によれば、特定の識別情報を強調表示することができる。
（５）  前記（４）の遊技機であって、
前記表示手段は、前記特定の識別情報に対して所定画像を付加することにより前記特定の識別情報を強調表示する（図１２（ｄ），（ｆ），（ｇ）に示すように、３，４，５のような図柄煽り演出に対応した数字図柄Ｆ１にエフェクト画像Ｆ２を付加することにより数字図柄Ｆ１を強調表示する等）。
【００１４】
このような構成によれば、特定の識別情報を強調表示することができる。
（６）  前記（５）の遊技機であって、
前記表示手段は、前記所定画像の視認性を前記第１の視認性により表示する（図１２（ｄ），（ｆ），（ｇ）に示すように、エフェクト画像Ｆ２は視認性の高い状態で表示する等）。
【００１５】
このような構成によれば、視認性の低下しない所定画像により、特定の識別情報を強調表示することができる。
【００１６】
（７）  前記（１）から（６）のいずれかの遊技機であって、
遊技者の動作を検出可能な動作検出手段（プッシュボタン１２０、プッシュセンサ１２４等）と、
前記動作検出手段により遊技者の動作が検出されることにより操作演出を実行する操作演出手段（演出制御用マイクロコンピュータ１００等）とをさらに備え、
前記操作演出手段は、前記背景画像の視認性が前記第２の視認性で表示されているときに前記操作演出（変形例に示すような、図柄煽り演出中のボタン演出等）を実行する。
【００１７】
このような構成によれば、背景画像の視認性が低下しているときの演出の興趣を向上することができる。
【００１８】
（８）  前記（１）から（７）のいずれかの遊技機であって、
変動表示に関する情報を保留記憶情報として記憶可能な保留記憶手段（合保留記憶バッファ等）と、
前記保留記憶手段に記憶されている前記保留記憶情報を、保留表示として表示する保留表示手段（演出制御用マイクロコンピュータ１００等）とをさらに備え、
前記保留表示手段は、前記背景画像が前記第２の視認性となっているときにも前記保留表示の視認性を前記第１の視認性により表示する（図１２（ｄ），（ｆ），（ｇ）に示すように、視認性を低下した状態でキャラクタ画像Ｄ２が表示されているときにも保留表示Ｈの視認性を低下させずに表示する等）。
【００１９】
このような構成によれば、背景画像の視認性に関わらず、保留表示の視認性を一定に保つことができ、保留表示の視認性が低下することを防止できる。
【００２０】
（９）  前記（５）または（６）のいずれかの遊技機であって、
前記特定の識別情報を強調表示するパターンは複数設けられ（図１３（Ｃ），（Ｄ）に示すように、エフェクト画像の態様が大のパターンと小のパターンとが設けられている等）、
前記表示手段は、前記有利状態（大当り遊技状態等）に制御される期待度に基づいて、異なるパターンで前記特定の識別情報を強調表示する（図１３（Ｃ），（Ｄ）に示すように、大当り時には、はずれ時よりも高い割合でエフェクト画像大に決定される等）。
【００２１】
このような構成によれば、特定の識別情報を強調表示するパターンに注目させることができる。
【００２２】
（１０）  前記（１）から（９）のいずれかの遊技機であって、
変動表示の実行中に、遊技者による調整動作（調整操作等）に応じて演出効果を調整可能な調整手段（演出制御用マイクロコンピュータ１００等）と、
前記調整手段による調整に対応する調整画像（図１５（Ｂ）〜（Ｄ）に示す調整結果画像Ｒ等）を所定期間（所定期間Ｔ１等）表示する調整画像表示手段（演出制御用マイクロコンピュータ１００等）とをさらに備え、
前記調整画像表示手段は、前記所定期間内に変動表示結果が導出表示される場合に、当該所定期間のうち、変動表示結果が導出表示される期間（導出表示期間Ｔ２等）において前記調整画像を視認不可または視認困難（調整画像を非表示にする、調整画像を半透明表示とする、点滅表示とする等）とする。
【００２３】
このような構成によれば、導出表示される変動表示結果の認識性の低下を抑えることができる。
【図面の簡単な説明】
【００２４】
【図１】パチンコ遊技機を正面からみた正面図である。
【図２】当り種別表を示す図である。
【図３】主基板（遊技制御基板）における回路構成の一例を示すブロック図である。
【図４】各乱数を示す説明図である。
【図５】大当り判定テーブルおよび大当り種別判定テーブルを示す説明図である。
【図６】変動パターンを決定するために用いる変動パターンテーブルを表形式で示す図である。
【図７】演出制御コマンドの内容の一例を示す説明図である。
【図８】タイマ割込処理を示すフローチャートである。
【図９】特別図柄プロセス処理を示すフローチャートである。
【図１０】演出制御メイン処理を示すフローチャートである。
【図１１】演出制御プロセス処理を示すフローチャートである。
【図１２】図柄煽り演出を説明するための図である。
【図１３】図柄煽り演出実行決定テーブルおよびエフェクト画像決定テーブルを示す図である。
【図１４】演出設定処理を示すフローチャートである。
【図１５】調整結果画像の表示例を示す図である。
【発明を実施するための形態】
【００２５】
以下、本発明の実施の形態を、図面を参照して説明する。なお、遊技機の一例としてパチンコ遊技機を示すが、本発明はパチンコ遊技機に限られず、コイン遊技機、スロットマシン等のその他の遊技機であってもよく、遊技を行なうことが可能な遊技機であれば、どのような遊技機であってもよい。
【００２６】
［第１実施形態］
以下、本発明の実施の形態を、図面を参照して説明する。まず、遊技機の一例であるパチンコ遊技機１の全体の構成について説明する。図１はパチンコ遊技機１を正面からみた正面図である。図２は当り種別表である。
【００２７】
パチンコ遊技機１は、遊技媒体としての遊技球を遊技領域７に打込んで遊技が行なわれる遊技機である。パチンコ遊技機１は、縦長の方形状に形成された外枠（図示せず）と、外枠の内側に開閉可能に取付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取付けられる機構板（図示せず）と、それらに取付けられる種々の部品（後述する遊技盤６を除く）とを含む構造体である。パチンコ遊技機１では、遊技媒体としての遊技球を遊技領域に打込んで遊技が行なわれる。
【００２８】
ガラス扉枠２の下部表面には打球供給皿（上皿）３がある。打球供給皿３の下部には、打球供給皿３に収容しきれない遊技球を貯留する余剰球受皿４、および、打球を発射する打球操作ハンドル（操作ノブ）５等が設けられている。また、ガラス扉枠２の背面には、遊技盤６が着脱可能に取付けられている。遊技盤６は、それを構成する板状体と、その板状体に取付けられた種々の部品とを含む構造体である。また、遊技盤６の前面には、打込まれた遊技球が流下可能な遊技領域７が形成されている。
【００２９】
余剰球受皿（下皿）４を形成する部材には、たとえば下皿本体の上面における手前側の所定位置（たとえば下皿の中央部分）等に、スティック形状（棒形状）に構成され、遊技者が把持して複数方向（前後左右）に傾倒する操作が可能なスティックコントローラ１２２が取付けられている。なお、スティックコントローラ１２２には、遊技者がスティックコントローラ１２２の操作桿を操作手（たとえば左手等）で把持した状態において、所定の操作指（たとえば人差し指等）で押引操作すること等により所定の指示操作が可能なトリガボタン１２５（図３参照）が設けられ、スティックコントローラ１２２の操作桿の内部には、トリガボタン１２５に対する押引操作等による所定の指示操作を検知するトリガセンサ１２１（図３参照）が内蔵されている。また、スティックコントローラ１２２の下部における下皿の本体内部等には、操作桿に対する傾倒操作を検知する傾倒方向センサユニット１２３（図３参照）が設けられている。また、スティックコントローラ１２２には、スティックコントローラ１２２を振動動作させるためのバイブレータ用モータ１２６（図３参照）が内蔵されている。
【００３０】
打球供給皿（上皿）３を形成する部材には、たとえば上皿本体の上面における手前側の所定位置（たとえばスティックコントローラ１２２の上方）等に、遊技者が押下操作等により所定の指示操作を可能なプッシュボタン１２０が設けられている。プッシュボタン１２０は、遊技者からの押下操作等による所定の指示操作を、機械的、電気的、あるいは、電磁的に、検出できるように構成されていればよい。プッシュボタン１２０の設置位置における上皿の本体内部等には、プッシュボタン１２０に対してなされた遊技者の操作行為を検知するプッシュセンサ１２４（図３参照）が設けられていればよい。図１に示す構成例では、プッシュボタン１２０とスティックコントローラ１２２の取付位置が、上皿及び下皿の中央部分において上下の位置関係にある。これに対して、上下の位置関係を保ったまま、プッシュボタン１２０及びスティックコントローラ１２２の取付位置を、上皿及び下皿において左右のいずれかに寄せた位置としてもよい。あるいは、プッシュボタン１２０とスティックコントローラ１２２との取付位置が上下の位置関係にはなく、たとえば左右の位置関係にあるものとしてもよい。なお、操作手段としては、レバースイッチ、および、ジョグダイヤル等のその他の操作手段を設けてもよい。
【００３１】
遊技領域７の中央付近には、各々を識別可能な複数種類の識別情報としての演出図柄を変動表示（可変表示ともいう）可能な表示手段としての演出表示装置９が設けられている。遊技領域７における演出表示装置９の右側方には、各々を識別可能な複数種類の識別情報としての第１特別図柄を変動表示する第１特別図柄表示器（第１変動表示部）８ａと、各々を識別可能な複数種類の識別情報としての第２特別図柄を変動表示する第２特別図柄表示器（第２変動表示部）８ｂとが設けられている。
【００３２】
第１特別図柄表示器８ａおよび第２特別図柄表示器８ｂのそれぞれは、数字および文字を変動表示可能な簡易で小型の表示器（たとえば７セグメントＬＥＤ）で構成されている。演出表示装置９は、液晶表示装置（ＬＣＤ）で構成されており、表示画面において、第１特別図柄または第２特別図柄の変動表示に同期した演出図柄の変動表示を行なう演出図柄表示領域が設けられる。演出図柄表示領域には、たとえば左，中，右の３つの装飾用（演出用）の演出図柄を変動表示する図柄表示エリアが形成される。
【００３３】
以下、第１特別図柄と第２特別図柄とを特別図柄と総称することがあり、第１特別図柄表示器８ａと第２特別図柄表示器８ｂとを特別図柄表示器（変動表示部）と総称することがある。なお、この実施の形態では、２つの特別図柄表示器８ａ，８ｂを備える場合を示しているが、遊技機は、特別図柄表示器を１つのみ備えるものであってもよい。
【００３４】
第１特別図柄表示器８ａおよび第２特別図柄表示器８ｂのそれぞれは、主基板（遊技制御基板）に搭載されている遊技制御用マイクロコンピュータによって制御される。演出表示装置９は、演出制御基板に搭載されている演出制御用マイクロコンピュータによって制御される。第１特別図柄表示器８ａで第１特別図柄の変動表示が実行されているときに、その変動表示に伴なって演出表示装置９で演出表示が実行され、第２特別図柄表示器８ｂで第２特別図柄の変動表示が実行されているときに、その変動表示に伴なって演出表示装置９で演出表示が実行されるので、遊技の進行状況を把握しやすくすることができる。
【００３５】
より具体的には、第１特別図柄または第２特別図柄の変動表示は、変動表示の実行条件である第１始動条件または第２始動条件が成立（たとえば、遊技球が第１始動入賞口１３または第２始動入賞口１４を通過（入賞を含む）したこと）した後、変動表示の開始条件（たとえば、保留記憶数が０でない場合であって、第１特別図柄および第２特別図柄の変動表示が実行されていない状態であり、かつ、大当り遊技が実行されていない状態）が成立したことに基づいて開始され、変動表示時間（変動時間）が経過すると表示結果（停止図柄）を導出表示する。なお、遊技球が通過するとは、入賞口やゲート等の予め入賞領域として定められている領域を遊技球が通過したことであり、入賞口に遊技球が入った（入賞した）ことを含む概念である。また、表示結果を導出表示するとは、図柄（識別情報の例）を最終的に停止表示させることである。
【００３６】
第１特別図柄表示器８ａに特定表示結果としての大当り表示結果（大当り図柄）が導出表示されたとき、または、第２特別図柄表示器８ｂに特定表示結果としての大当り表示結果（大当り図柄）が導出表示されたときには、演出表示装置９においても、特定表示結果としての大当り表示結果（大当り図柄の組合せ）が導出表示される。このように変動表示の表示結果として特定表示結果が表示されたときには、遊技者にとって有利な価値（有利価値）が付与される有利状態としての特定遊技状態（大当り遊技状態）に制御される。
【００３７】
また、演出表示装置９において、最終停止図柄（たとえば左右中図柄のうち中図柄）となる図柄以外の図柄が、所定時間継続して、大当り図柄（たとえば左中右の図柄が同じ図柄で揃った図柄の組合せ）と一致している状態で停止、揺動、拡大縮小もしくは変形している状態、または、複数の図柄が同一図柄で同期して変動表示したり、表示図柄の位置が入れ替わっていたりして、最終結果が表示される前で大当り発生の可能性が継続している状態（以下、これら状態をリーチ状態という。）で行なわれる演出をリーチ演出という。
【００３８】
ここで、リーチ状態は、演出表示装置９の表示領域において停止表示された演出図柄が大当り組合せの一部を構成しているときに未だ停止表示されていない演出図柄の変動表示が継続している表示状態、または、全部もしくは一部の演出図柄が大当り組合せの全部または一部を構成しながら同期して変動表示している表示状態である。言い換えると、リーチとは、複数の変動表示領域において識別情報が特定表示結果を構成しているが少なくとも一部の変動表示領域が変動表示中である状態をいう。この実施形態において、リーチ状態は、たとえば、左，右の図柄表示エリアで同じ図柄が停止し、中の図柄表示エリアで図柄が停止していない状態で形成される。リーチ状態が形成されるときの左，右の図柄表示エリアで停止された図柄は、リーチ形成図柄、または、リーチ図柄と呼ばれる。
【００３９】
そして、リーチ状態における表示演出が、リーチ演出表示（リーチ演出）である。また、リーチの際に、通常と異なる演出がランプや音で行なわれることがある。この演出をリーチ演出という。また、リーチの際に、キャラクタ（人物等を模した演出表示であり、図柄（演出図柄等）とは異なるもの）を表示させたり、演出表示装置９の背景画像の表示態様（たとえば、色等）を変化させたりすることがある。このキャラクタの表示や背景の表示態様の変化をリーチ演出表示という。また、リーチの中には、それが出現すると、通常のリーチに比べて、大当りが発生しやすいように設定されたものがある。このような特別のリーチをスーパーリーチという。
【００４０】
演出表示装置９の下方には、第１始動入賞口１３を有する入賞装置が設けられている。第１始動入賞口１３に入賞した遊技球は、遊技盤６の背面に導かれ、第１始動口スイッチ１３ａによって検出される。
【００４１】
また、第１始動入賞口（第１始動口）１３を有する入賞装置の下方には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。したがって、可変入賞球装置１５が閉状態になっている状態では、第２始動入賞口１４よりも、第１始動入賞口１３に遊技球が入賞しやすい。なお、可変入賞球装置１５が閉状態になっている状態において、入賞はしづらいものの、入賞することは可能である（すなわち、遊技球が入賞しにくい）ように構成されていてもよい。以下、第１始動入賞口１３と第２始動入賞口１４とを総称して始動入賞口または始動口ということがある。
【００４２】
第２特別図柄表示器８ｂの上方には、第２始動入賞口１４に入った有効入賞球数すなわち第２保留記憶数を表示する４つの表示器からなる第２特別図柄保留記憶表示器１８ｂが設けられている。第２特別図柄保留記憶表示器１８ｂは、有効始動入賞がある毎に、点灯する表示器の数を１増やす。そして、第２特別図柄表示器８ｂでの変動表示が開始される毎に、点灯する表示器の数を１減らす。
【００４３】
また、第２特別図柄保留記憶表示器１８ｂのさらに上方には、第１始動入賞口１３に入った有効入賞球数すなわち第１保留記憶数（保留記憶を、始動記憶または始動入賞記憶ともいう。）を表示する４つの表示器からなる第１特別図柄保留記憶表示器１８ａが設けられている。第１特別図柄保留記憶表示器１８ａは、有効始動入賞がある毎に、点灯する表示器の数を１増やす。そして、第１特別図柄表示器８ａでの変動表示が開始される毎に、点灯する表示器の数を１減らす。
【００４４】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の変動表示を開始できる状態であれば（たとえば、特別図柄の変動表示が終了し、第１の開始条件が成立したこと）、第１特別図柄表示器８ａにおいて第１特別図柄の変動表示（変動）が開始されるとともに、演出表示装置９において演出図柄の変動表示が開始される。すなわち、第１特別図柄および演出図柄の変動表示は、第１始動入賞口１３への入賞に対応する。第１特別図柄の変動表示を開始できる状態でなければ、第１保留記憶数が上限値に達していないことを条件として、第１保留記憶数を１増やす。
【００４５】
遊技球が第２始動入賞口１４に入り第２始動口スイッチ１４ａで検出されると、第２特別図柄の変動表示を開始できる状態であれば（たとえば、特別図柄の変動表示が終了し、第２の開始条件が成立したこと）、第２特別図柄表示器８ｂにおいて第２特別図柄の変動表示（変動）が開始されるとともに、演出表示装置９において演出図柄の変動表示が開始される。すなわち、第２特別図柄および演出図柄の変動表示は、第２始動入賞口１４への入賞に対応する。第２特別図柄の変動表示を開始できる状態でなければ、第２保留記憶数が上限値に達していないことを条件として、第２保留記憶数を１増やす。
【００４６】
演出表示装置９は、第１特別図柄表示器８ａによる第１特別図柄の変動表示時間中、および第２特別図柄表示器８ｂによる第２特別図柄の変動表示時間中に、装飾用（演出用）の図柄としての演出図柄の変動表示を行なう。第１特別図柄表示器８ａにおける第１特別図柄の変動表示と、演出表示装置９における演出図柄の変動表示とは同期している。また、第２特別図柄表示器８ｂにおける第２特別図柄の変動表示と、演出表示装置９における演出図柄の変動表示とは同期している。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組合せが停止表示される。
【００４７】
また、演出表示装置９の表示画面における下部の位置には、第１保留記憶数と第２保留記憶数との合計数（合算保留記憶数）を表示する保留記憶表示部（合算保留記憶表示部、保留表示エリア、図示せず）が設けられる。合算保留記憶表示部では、保留記憶表示として保留記憶数をたとえば所定画像の表示個数により特定可能な保留記憶画像（保留記憶情報のそれぞれに対応して１つずつ保留記憶画像を表示することにより、保留記憶数を特定する。）が表示される。このように、合計数を表示する合算保留記憶表示部が設けられていることによって、変動表示の開始条件が成立していない実行条件の成立数の合計を把握しやすくすることができる。第１特別図柄保留記憶表示器１８ａ、第２特別図柄保留記憶表示器１８ｂ、および、演出表示装置９のそれぞれにおいて、保留記憶数を示すための発光表示および画像表示は、保留表示、または、保留記憶表示と呼ばれる。
【００４８】
また、図１に示すように、可変入賞球装置１５の下方には、特別可変入賞球装置２０が設けられている。特別可変入賞球装置２０は開閉板を備え、第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。
【００４９】
大当り遊技状態においては、特別可変入賞球装置２０が開放状態と閉鎖状態とを繰返す繰返し継続制御が行なわれる。繰返し継続制御において、特別可変入賞球装置２０が開放されている状態が、ラウンドと呼ばれる。これにより、繰返し継続制御は、ラウンド制御とも呼ばれる。本実施の形態では、大当りの種別が複数設けられており、大当りとすることが決定されたときには、いずれかの大当り種別が選択される。
【００５０】
演出表示装置９の左方には、各々を識別可能な普通図柄を変動表示する普通図柄表示器１０が設けられている。この実施の形態では、普通図柄表示器１０は、０〜９の数字を変動表示可能な簡易で小型の表示器（たとえば７セグメントＬＥＤ）で実現されている。すなわち、普通図柄表示器１０は、０〜９の数字（または、記号）を変動表示するように構成されている。また、小型の表示器は、たとえば方形状に形成されている。
【００５１】
遊技球がゲート３２を通過しゲートスイッチ３２ａで検出されると、普通図柄表示器１０の表示の変動表示が開始される。そして、普通図柄表示器１０における停止図柄が所定の図柄（当り図柄。たとえば、図柄「７」。）である場合に、可変入賞球装置１５が所定回数、所定時間だけ遊技者にとって不利な閉状態から遊技者にとって有利な開状態に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯するＬＥＤを１増やす。そして、普通図柄表示器１０の変動表示が開始される毎に、点灯するＬＥＤを１減らす。
【００５２】
また、演出表示装置９の上方には、役物１２が設けられている。役物１２は、遊技盤６と演出表示装置９との間に位置し、役物モータ１７によって位置を変位することが可能である。役物１２は、通常は遊技者から視認し難い場所に位置し、所定の演出が実行されるときに遊技者から視認可能な位置（たとえば、演出表示装置９の前方の位置）に移動する。
【００５３】
遊技盤６の下部には、入賞しなかった打球が取込まれるアウト口２６がある。また、遊技領域７の外側の左右上部および左右下部には、所定の音声出力として効果音や音声を発声する４つのスピーカ２７が設けられている。遊技領域７の外周には、前面枠に設けられた枠ＬＥＤ２８が設けられている。
【００５４】
また、プリペイドカードが挿入されることによって球貸しを可能にするプリペイドカードユニット（以下、単に「カードユニット」ともいう。）が、パチンコ遊技機１に隣接して設置される（図示せず）。
【００５５】
図２の当り種別表においては、大当りにおける当りの種別ごとに、大当り遊技状態の終了後の大当り確率、大当り遊技状態の終了後のベース、大当り遊技状態終了後の変動時間、大当りにおける開放回数（ラウンド数）、および、各ラウンドの開放時間が示されている。
【００５６】
具体的に、大当り遊技状態においては、特別可変入賞球装置２０が、開放状態とされた後、所定の開放状態の終了条件（開放状態において所定期間（たとえば２９秒間）が経過したこと、または、所定個数（たとえば１０個）の入賞球が発生したという開放終了条件）が成立したことに応じて閉鎖状態とされる。そして、開放終了条件が成立すると、継続権が発生し、特別可変入賞球装置２０の開放が再度行なわれる。継続権の発生は、大当り遊技状態における開放回数が予め定められた上限値となる１５ラウンド（最終ラウンド）に達するまで繰返される。
【００５７】
「大当り」のうち、大当り遊技状態に制御された後、特別遊技状態として、通常状態（確変状態でない通常の遊技状態）に比べて大当りとすることに決定される確率が高い状態である確変状態（確率変動状態の略語であり、高確率状態ともいう）に移行する大当りの種類（種別）は、「確変大当り」と呼ばれる。また、本実施の形態では、特別遊技状態としては、確変状態に付随して、特別図柄や演出図柄の変動時間（変動表示期間）が非時短状態よりも短縮される時短状態に制御される場合がある。なお、特別遊技状態としては、確変状態とは独立して時短状態に制御される場合があるようにしてもよい。
【００５８】
このように、時短状態に移行することによって、特別図柄や演出図柄の変動時間が短縮されるので、時短状態となったときには、有効な始動入賞が発生しやすくなり大当り遊技が行なわれる可能性が高まる。なお、「大当り」のうち、１５ラウンドの大当り遊技状態に制御された後、確変状態に移行しない大当りの種類（種別）は、「通常大当り」と呼ばれる。
【００５９】
また、特別遊技状態としては、確変状態または時短状態に付随して、可変入賞球装置１５が開状態になる頻度を高くすることにより可変入賞球装置１５に遊技球が進入する頻度を高くして可変入賞球装置１５への入賞を容易化（高進入化、高頻度化）する電チューサポート制御状態に制御される場合がある。電チューサポート制御状態は、後述するように高ベース状態であるので、以下の説明においては、主として高ベース状態と呼ぶ。
【００６０】
ここで、電チューサポート制御について説明する。電チューサポート制御としては、普通図柄の変動時間（変動表示開始時から表示結果の導出表示時までの時間）を短縮して早期に表示結果を導出表示させる制御（普通図柄短縮制御）、普通図柄の停止図柄が当り図柄になる確率を高める制御（普通図柄確変制御）、可変入賞球装置１５の開放時間を長くする制御（開放時間延長制御）、および、可変入賞球装置１５の開放回数を増加させる制御（開放回数増加制御）が行なわれる。このような制御が行なわれると、当該制御が行なわれていないときと比べて、可変入賞球装置１５が開状態となっている時間比率が高くなるので、第２始動入賞口１４への入賞頻度が高まり、遊技球が始動入賞しやすくなる（特別図柄表示器８ａ，８ｂや演出表示装置９における変動表示の実行条件が成立しやすくなる）。この制御によって第２始動入賞口１４への入賞頻度が高まることにより、第２始動条件の成立頻度および／または第２特別図柄の変動表示の実行頻度が高まる遊技状態となる。
【００６１】
電チューサポート制御により第２始動入賞口１４への入賞頻度が高められた状態（高頻度状態）は、発射球数に対して入賞に応じて賞球として払出される遊技球数の割合である「ベース」が、当該制御が行なわれないときと比べて、高い状態であるので、「高ベース状態」と呼ばれる。また、このような制御が行なわれないときは、「低ベース状態」と呼ばれる。また、このような制御は、可変入賞球装置１５、すなわち、電動チューリップにより入賞をサポートすることにより可変入賞球装置１５への入賞を容易化する制御であり、「電チューサポート制御」と呼ばれる。
【００６２】
この実施の形態においては、大当り確率の状態を示す用語として、「高確率状態（確変状態）」と、「低確率状態（非確変状態）」とを用い、ベースの状態の組合せを示す用語として、「高ベース状態（電チューサポート制御状態）」と、「低ベース状態（非電チューサポート制御状態）」とを用いる。
【００６３】
また、この実施の形態においては、大当り確率の状態およびベースの状態の組合せを示す用語として、「低確低ベース状態」、「低確高ベース状態」、および、「高確高ベース状態」を用いる。「低確低ベース状態」とは、大当り確率の状態が低確率状態で、かつ、ベースの状態が低ベース状態であることを示す状態である。「低確高ベース状態」とは、大当り確率の状態が低確率状態で、かつ、ベースの状態が高ベース状態であることを示す状態である。「高確高ベース状態」とは、大当り確率の状態が高確率状態で、かつ、ベースの状態が高ベース状態であることを示す状態である。
【００６４】
図２に示すように、１５ラウンドの大当りとしては、通常大当りと確変大当りとの複数種類の大当りが設けられている。通常大当りは、１５ラウンドの大当り遊技状態の終了後に、非確変状態、時短状態、および、高ベース状態（低確高ベース状態）に制御される大当りである。通常大当りにおいては、非確変状態が次回の大当りが発生するまでの期間継続し、時短状態、および、高ベース状態が、変動表示が１００回という所定回数実行されるまでという条件と、次回の大当りが発生するまでという条件とのいずれか早い方の条件が成立するまでの期間継続する。なお、通常大当りは、非確変状態、非時短状態、および、非電チューサポート制御状態（低確低ベース状態）に制御される大当りとなるように制御するものであってもよい。
【００６５】
確変大当りは、１５ラウンドの大当り遊技状態の終了後に、確変状態、時短状態、および、高ベース状態（高確高ベース状態）に移行する制御が行なわれる大当りである。確変大当りにおいては、このような高確高ベース状態が、変動表示が１００回という所定回数実行されるまでという条件と、次回の大当りが発生するまでという条件とのいずれか早い方の条件が成立するまでの期間継続する。
【００６６】
図３は、主基板（遊技制御基板）および演出制御基板における回路構成の一例を示すブロック図である。なお、図３には、払出制御基板３７等も示されている。主基板３１には、プログラムにしたがってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含む。遊技制御用マイクロコンピュータ５６０は、ＲＯＭ５４およびＲＡＭ５５が内蔵された１チップマイクロコンピュータである。遊技制御用マイクロコンピュータ５６０には、さらに、ハードウェア乱数（ハードウェア回路が発生する乱数）を発生する乱数回路５０３が内蔵されている。
【００６７】
また、ＲＡＭ５５は、その一部または全部が電源基板（図示省略）において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグ等）と未払出賞球数を示すデータは、バックアップＲＡＭに保存される。
【００６８】
なお、遊技制御用マイクロコンピュータ５６０においてＣＰＵ５６がＲＯＭ５４に格納されているプログラムにしたがって制御を実行するので、以下、遊技制御用マイクロコンピュータ５６０（またはＣＰＵ５６）が実行する（または、処理を行なう）ということは、具体的には、ＣＰＵ５６がプログラムにしたがって制御を実行することである。このことは、主基板３１以外の他の基板に搭載されているマイクロコンピュータについても同様である。
【００６９】
乱数回路５０３は、特別図柄の変動表示の表示結果により大当りとするか否か判定するための判定用の乱数を発生するために用いられるハードウェア回路である。乱数回路５０３は、初期値（たとえば、０）と上限値（たとえば、６５５３５）とが設定された数値範囲内で、数値データを、設定された更新規則にしたがって更新し、ランダムなタイミングで発生する始動入賞時が数値データの読出（抽出）時であることに基づいて、読出される数値データが乱数値となる乱数発生機能を有する。また、遊技制御用マイクロコンピュータ５６０は、乱数回路５０３が更新する数値データの初期値を設定する機能を有している。
【００７０】
また、ゲートスイッチ３２ａ、第１始動口スイッチ１３ａ、第２始動口スイッチ１４ａ、カウントスイッチ２３からの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令にしたがって駆動する出力回路５９も主基板３１に搭載されている。
【００７１】
また、遊技制御用マイクロコンピュータ５６０は、特別図柄を変動表示する第１特別図柄表示器８ａ、第２特別図柄表示器８ｂ、普通図柄を変動表示する普通図柄表示器１０、第１特別図柄保留記憶表示器１８ａ、第２特別図柄保留記憶表示器１８ｂおよび普通図柄保留記憶表示器４１の表示制御を行なう。
【００７２】
演出制御基板８０は、演出制御用マイクロコンピュータ１００、ＲＯＭ１０２、ＲＡＭ１０３、ＶＤＰ１０９、および、Ｉ／Ｏポート部１０５等を搭載している。ＲＯＭ１０２は、表示制御等の演出制御用のプログラムおよびデータ等を記憶する。ＲＡＭ１０３は、ワークメモリとして使用される。ＲＯＭ１０２およびＲＡＭ１０３は、演出制御用マイクロコンピュータ１００に内蔵されてもよい。ＶＤＰ１０９は、演出制御用マイクロコンピュータ１００と共動して演出表示装置９の表示制御を行なう。
【００７３】
演出制御用マイクロコンピュータ１００は、主基板３１から演出制御基板８０の方向への一方向にのみ信号を通過させる中継基板７７を介して、遊技制御用マイクロコンピュータ５６０から演出内容を指示する演出制御コマンドを受信し、演出表示装置９の変動表示制御を行なう他、ランプドライバ基板３５を介して、枠側に設けられている枠ＬＥＤ２８の表示制御を行なうとともに、音声出力基板７０を介してスピーカ２７からの音出力の制御を行なう等、各種の演出制御を行なう。
【００７４】
また、演出制御用ＣＰＵ１０１は、スティックコントローラ１２２のトリガボタン１２５に対する遊技者の操作行為を検出したことを示す情報信号としての操作検出信号を、トリガセンサ１２１から、Ｉ／Ｏポート部１０５の入力ポートを介して入力する。また、演出制御用ＣＰＵ１０１は、プッシュボタン１２０に対する遊技者の操作行為を検出したことを示す情報信号としての操作検出信号を、プッシュセンサ１２４から、Ｉ／Ｏポート部１０５の入力ポートを介して入力する。また、演出制御用ＣＰＵ１０１は、スティックコントローラ１２２の操作桿に対する遊技者の操作行為を検出したことを示す情報信号としての操作検出信号を、傾倒方向センサユニット１２３から、Ｉ／Ｏポート部１０５の入力ポートを介して入力する。また、演出制御用ＣＰＵ１０１は、Ｉ／Ｏポート部１０５の出力ポートを介してバイブレータ用モータ１２６に駆動信号を出力することにより、スティックコントローラ１２２を振動動作させる。また、演出制御用ＣＰＵ１０１は、モータ駆動回路（図示省略）を介して役物モータ１７を駆動して役物１２を動作させる。
【００７５】
図４は、各乱数を示す説明図である。図４においては、乱数の種別、更新範囲、用途、および、加算条件が示されている。各乱数は、以下のように使用される。
【００７６】
（１）ランダムＲ：大当りにするか否かを判定する当り判定用のランダムカウンタである。ランダムＲは、１０ＭＨｚで１ずつ更新され、０から加算更新されてその上限である６５５３５まで加算更新された後再度０から加算更新される。（２）ランダム１（ＭＲ１）：大当りの種類（種別、通常大当り、および、確変大当りのいずれかの種別）および大当り図柄を決定する（大当り種別判定用、大当り図柄決定用）。（３）ランダム２（ＭＲ２）：変動パターンの種類（種別）を決定する（変動パターン種別判定用）。（４）ランダム３（ＭＲ３）：変動パターン（変動時間）を決定する（変動パターン判定用）。（５）ランダム４（ＭＲ４）：普通図柄に基づく当りを発生させるか否か決定する（普通図柄当り判定用）。（６）ランダム５（ＭＲ５）：ランダム４の初期値を決定する（ランダム４初期値決定用）。
【００７７】
この実施の形態では、特定遊技状態である大当りとして、通常大当り、および、確変大当りという複数の種別が含まれている。したがって、大当り判定用乱数（ランダムＲ）の値に基づいて、大当りとする決定がされたときには、大当り種別判定用乱数（ランダム１）の値に基づいて、大当りの種別が、これらいずれかの大当り種別に決定される。さらに、大当りの種別が決定されるときに、同時に大当り種別判定用乱数（ランダム１）の値に基づいて、大当り図柄も決定される。したがって、ランダム１は、大当り図柄決定用乱数でもある。
【００７８】
また、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施の形態では、２段階の抽選処理によって変動パターンが決定される。変動パターン種別とは、複数の変動パターンをその変動態様の特徴にしたがってグループ化したものである。変動パターン種別には、１または複数の変動パターンが属している。変動パターン種別は、変動種別と呼ばれる場合もある。
【００７９】
この実施の形態では、変動パターンが、リーチを伴なわない変動パターン種別である通常変動パターン種別と、リーチを伴なう変動パターン種別であるリーチ変動パターン種別とに種別分けされている。
【００８０】
このような変動パターン種別は、表示結果がはずれとなる場合に、時短状態であるときと、時短状態でないときとで、変動パターン種別の選択割合が異なるように設定されていることにより、時短状態であるときには、時短状態でないときと比べて、変動時間が短縮される。たとえば、時短状態では、時短状態でないときと比べて、変動時間の平均時間を短くするために、所定の変動パターンの変動時間が時短でないときよりも短く設定されたり、変動パターン種別のうち最も変動時間が短い変動パターン種別が選択される割合が高くなり、リーチ種別が選択されるときでも変動パターン種別のうち最も変動時間が短いノーマルリーチの変動パターンが選択される割合が高くなるように設定されたりすることで、時短状態でないときと比べて、変動時間の平均時間が短くなる。
【００８１】
なお、このような変動パターン種別は、変動表示をする各特別図柄の保留記憶数が所定数以上であるときと、所定数未満であるときとで選択割合が異なるように設定されることにより、変動表示をする各特別図柄の保留記憶数が所定数以上であるときには、各特別図柄の保留記憶数が所定数未満であるときと比べて、変動表示時間が短縮される保留数短縮制御を実行するようにしてもよい。たとえば、保留数短縮制御状態では、保留数短縮制御状態でないときと比べて、通常変動パターン種別のような変動表示時間が短い変動パターン種別が選択される割合が高くなるように設定されることで、保留数短縮制御状態でないときと比べて、変動表示時間の平均時間が短くなるようにしてもよい。また、保留数短縮制御では、保留数短縮制御状態でないときと比べて、同じ変動パターン種別が選択される場合でも、その変動パターン種別の変動表示時間自体を短くしてもよい。
【００８２】
また、変動パターンは、変動パターン種別を決定してから変動パターンを決定する２段階の決定方法ではなく、１回の乱数抽選により変動パターンが決定される１段階の決定方法としてもよい。
【００８３】
図５は、大当り判定テーブルおよび大当り種別判定テーブルを示す説明図である。図５（Ａ）は、大当り判定テーブルを示す説明図である。大当り判定テーブルとは、ＲＯＭ５４に記憶されているデータの集まりであって、ランダムＲと比較される大当り判定値が設定されているテーブルである。大当り判定テーブルには、通常状態（確変状態でない遊技状態、すなわち非確変状態）において用いられる通常時（非確変時）大当り判定テーブルと、確変状態において用いられる確変時大当り判定テーブルとがある。
【００８４】
通常時大当り判定テーブルには、図５（Ａ）の左欄に記載されている各数値が大当り判定値として設定され、確変時大当り判定テーブルには、図５（Ａ）の右欄に記載されている各数値が大当り判定値として設定されている。確変時大当り判定テーブルに設定された大当り判定値は、通常時大当り判定テーブルに設定された大当り判定値と共通の大当り判定値（通常時大当り判定値または第１大当り判定値という）に、確変時固有の大当り判定値が加えられたことにより、確変時大当り判定テーブルよりも多い個数（１０倍の個数）の大当り判定値（確変時大当り判定値または第２大当り判定値という）が設定されている。これにより、確変状態には、通常状態よりも高い確率で大当りとする判定がなされる。
【００８５】
ＣＰＵ５６は、所定の時期に、乱数回路５０３のカウント値を抽出して抽出値を大当り判定用乱数（ランダムＲ）の値と比較するのであるが、大当り判定用乱数値が図５（Ａ）に示すいずれかの大当り判定値に一致すると、特別図柄に関して大当り（通常大当り、または、確変大当り）にすることに決定する。なお、図５（Ａ）に示す「確率」は、大当りになる確率（割合）を示す。
【００８６】
図５（Ｂ），（Ｃ）は、ＲＯＭ５４に記憶されている大当り種別判定テーブルを示す説明図である。図５（Ｂ）は、遊技球が第１始動入賞口１３に入賞したことに基づく保留記憶（第１保留記憶ともいう）を用いて大当り種別を決定する場合（第１特別図柄の変動表示が行なわれるとき）に用いる第１特別図柄大当り種別判定テーブル（第１特別図柄用）である。図５（Ｃ）は、遊技球が第２始動入賞口１４に入賞したことに基づく保留記憶（第２保留記憶ともいう）を用いて大当り種別を決定する場合（第２特別図柄の変動表示が行なわれるとき）に用いる第２特別図柄大当り種別判定テーブルである。
【００８７】
図５（Ｂ）、および、図５（Ｃ）の第１，第２特別図柄大当り種別判定テーブルのそれぞれは、変動表示結果を大当り図柄にする旨の判定がなされたときに、大当り種別判定用の乱数（ランダム１）に基づいて、大当りの種別を「通常大当り」と「確変大当り」とのうちのいずれかに決定するとともに、大当り図柄を決定するために参照される。
【００８８】
図５（Ｂ）の第１特別図柄大当り種別判定テーブルには、ランダム１の値と比較される数値であって、「通常大当り」、「確変大当り」のそれぞれに対応した判定値（大当り種別判定値）が設定されている。図５（Ｃ）の第２特別図柄大当り種別判定テーブルには、ランダム１の値と比較される数値であって、「通常大当り」、「確変大当り」のそれぞれに対応した判定値（大当り種別判定値）が設定されている。
【００８９】
また、図５（Ｂ），（Ｃ）に示すように、大当り種別判定値は、第１特別図柄および第２特別図柄の大当り図柄を決定する判定値（大当り図柄判定値）としても用いられる。「通常大当り」に対応した判定値は、第１特別図柄および第２特別図柄の大当り図柄の「３」に対応した判定値としても設定されている。「確変大当り」に対応した判定値は、第１特別図柄および第２特別図柄の大当り図柄の「７」に対応した判定値としても設定されている。
【００９０】
大当り種別判定テーブルを用いて、ＣＰＵ５６は、大当り種別として、ランダム１の値が一致した大当り種別判定値に対応する種別を決定するともに、大当り図柄として、ランダム１の値が一致した大当り図柄を決定する。これにより、大当り種別と、大当り種別に対応する大当り図柄とが同時に決定される。
【００９１】
図５（Ｂ）の第１特別図柄大当り種別判定テーブルと図５（Ｃ）の第２特別図柄大当り種別判定テーブルとは、確変大当りに決定される割合が同じである。このような場合には、第１特別図柄と第２特別図柄とで大当り種別判定テーブルを分けなくてもよい。また、大当り種別として、大当り遊技状態での最大ラウンド数が異なる複数種類の大当りのうちから大当り種別を選択するときには、図５（Ｃ）の第２特別図柄大当り種別判定テーブルの方が、図５（Ｂ）の第１特別図柄大当り種別判定テーブルよりも、ラウンド数が多い大当り種別が選択される割合が高くなるように設定してもよい。このようにすれば、高ベース状態において、大当りの種別選択が遊技者にとって有利となり、遊技の興趣を向上させることができる。また、図５（Ｃ）の第２特別図柄大当り種別判定テーブルの方が、図５（Ｂ）の第１特別図柄大当り種別判定テーブルよりも、確変大当りに決定される割合を高くしてもよい。そうすることにより、第２特別図柄の変動表示の方が、第１特別図柄の変動表示よりも、確変大当りとなる割合を高くすることができる。また、第１特別図柄大当り種別判定テーブルの方が、第２特別図柄大当り種別判定テーブルよりも、確変大当りに決定される割合が高くなるようにしてもよい。
【００９２】
次に、図６を用いて、遊技制御用マイクロコンピュータ５６０において、特別図柄および演出図柄の変動パターンを選択決定するために用いる変動パターンテーブルについて説明する。図６は、変動パターンを決定するために用いる変動パターンテーブルを表形式で示す図である。
【００９３】
図６には、（ａ）に通常状態はずれ時判定テーブル、（ｂ）に時短状態はずれ時判定テーブルが示されている。また、（ｃ）に通常大当り時判定テーブル、（ｄ）に確変大当り時判定テーブルが示されている。図６（ａ）〜（ｄ）の各判定テーブルは、ＲＯＭ５４に記憶されており、遊技状態に応じて選択され、変動パターン種別および変動パターンを判定（決定）するために用いられる。
【００９４】
図６に示す判定テーブルは、ランダム２と変動パターン種別との関係を示す変動パターン種別判定テーブルと、各変動パターン種別についてランダム３と各種別に属する変動パターンとの関係を示す変動パターン判定テーブルとを含む。
【００９５】
図６の各テーブルでの「変動パターン種別」または「変動パターン」の欄において、「通常」または「通常変動」は、リーチとならない通常変動パターンを示す。
【００９６】
また、図６の各テーブルでの「ノーマルリーチ」は、リーチ状態となったときに特に派手な演出を実行しないノーマルリーチの変動パターンを示している。「スーパーリーチ」は、リーチ状態となったときに特別な演出画像を表示するリーチ演出を行なう変動パターンを示している。
【００９７】
また、前述したように、「スーパーリーチ」は、「ノーマルリーチ」と比べて大当りとなるときに選択される割合が高く、大当りとなる信頼度が高い変動パターンである。さらに、「スーパーリーチ」は、「ノーマルリーチ」と比べて変動時間が長い（たとえば、ノーマルリーチ１０秒、スーパーリーチ３０秒〜６０秒）変動パターンである。なお、スーパーリーチには、４種類の変動パターンが設定されており、第１スーパーリーチ＜第２スーパーリーチ＜第３スーパーリーチ＜第４スーパーリーチとなるような関係で大当り期待度（大当りとなる可能性）が高いことを示す。
【００９８】
なお、“期待度”とは、大当りに対する期待度、確変に対する期待度等を含む概念である。具体的には、大当りに対する期待度（信頼度ともいう）とは、各リーチ変動パターンが選択された場合に大当りとなる期待度（大当りとなる割合）であり、たとえば、リーチ変動が１００回行なわれた場合に６０回大当りとなるのであれば、大当りに対する期待度が６０％（大当りが出現する出現率（確率）が６０％）となる。また、確変に対する期待度とは、確変状態に移行する期待度（確変となる割合）のことをいう。
【００９９】
パチンコ遊技機１では、識別情報としての演出図柄、および、第１，第２特別図柄のそれぞれの変動表示が開始されてから表示結果が導出表示されるまで、演出表示装置９において、所定の演出態様としての擬似連と呼ばれる演出（以下、擬似連演出と称する）が実行される場合がある。擬似連とは、本来は１つの保留記憶に対応する１回の変動であるものを、複数の保留記憶に対応する複数回の変動が連続して行なわれているように見せる演出表示である擬似連続変動を示す略語である。
【０１００】
また、擬似連とは、１の始動入賞に対して、あたかも複数回の図柄の変動表示（可変表示）が実行されたかのように見せるために、１の始動入賞に対して決定された変動時間内にて、全部の図柄列（左，中，右）について仮停止と、再変動とを所定回数実行する（繰り返す）特殊な変動パターン（変動表示パターンともいう）のことを指す。たとえば、再変動の繰返し実行回数（初回変動およびその後の再変動を含む合計の変動回数であり、擬似連変動回数ともいう）が多い程、大当りとなる信頼度（大当りとなるときとはずれとなるときとを含むすべての選択割合に対して大当りとなるときに選択される割合の度合い、大当りとなる割合の程度、すなわち、大当りとなる信頼性の度合い）が高くなる。より具体的には、大当りと決定されたときに選択される割合が高くなることで、大当り遊技状態となるか否かを擬似連演出により示唆する。擬似連の変動パターンでは、演出表示装置９において通常的に変動表示（基本的に変動表示）する演出図柄に含まれない擬似連図柄（たとえば、所定の文字またはキャラクタ等が付された図柄（数字が付されていない図柄、擬似連専用図柄とも称する））が仮停止する。なお、擬似連においては、通常的に変動表示（基本的に変動表示）する演出図柄（本実施形態では数字図柄）が仮停止してもよい。演出表示装置９において仮停止される図柄の組合せが、仮停止図柄の組合せと呼ばれる。仮停止図柄の組合せは、大当り図柄の組合せ以外の図柄の組合せよりなる複数種類のチャンス目（以下、擬似連出目（擬似連チャンス目）という）のうちからいずれかの擬似連チャンス目に決定されるようにすればよい。
【０１０１】
また、パチンコ遊技機１では、演出図柄が滑る演出が行なわれる場合がある。ここで、滑りとは、変動表示において図柄の停止直前に図柄を停止予測位置から滑らせる演出表示をいう。第２スーパーリーチにおいては、その後、左右の図柄表示エリアにおいてはずれ出目（はずれ図柄の組合せ）で仮停止していた２つの演出図柄のうち一方が滑った後停止することによりリーチ出目（リーチ図柄の組合せ）を形成し、リーチ演出が実行されるような演出である。
【０１０２】
なお、はずれ時判定テーブルに示される変動パターンは、変動表示の最終的な表示結果が「はずれ」の表示結果となる変動パターンである。通常大当り時判定テーブルに示される変動パターンは、変動表示の最終的な表示結果が「通常大当り」の表示結果となる変動パターンである。確変大当り時判定テーブルに示される変動パターンは、変動表示の最終的な表示結果が「確変大当り」の表示結果となる変動パターンである。
【０１０３】
これらの情報に基づいて、たとえば、図６（ａ）の「変動パターン」の欄に示された「第４スーパーリーチ  （６０秒）」という変動パターンは、「はずれ表示結果となる変動時間が６０秒で実行される第４スーパーリーチの変動パターン」であることが示される。
【０１０４】
図６のテーブルで「ランダム２範囲」および「変動パターン種別」という記載がされた欄は、「ランダム２範囲」と「変動パターン種別」との関係を示す変動パターン種別判定テーブル部としての機能を示す欄である。たとえば、図６（ａ）を例にとれば、「通常」、「ノーマルリーチ」、「スーパーリーチ」というような複数の変動パターン種別のそれぞれに、ランダム２（１〜２５１）のすべての値が複数の数値範囲に分けて割振られている。たとえば、図６（ａ）を例にとれば、所定のタイミングで抽出したランダム２の値が１〜２５１の乱数値のうち、１４０〜２２９に割振られた判定値のいずれかの数値と合致すると、変動パターン種別として「ノーマルリーチ」とすることが決定される。
【０１０５】
また、図６のテーブルで「ランダム３範囲」および「変動パターン」という記載がされた欄は、「ランダム３範囲」と「変動パターン」との関係を示す変動パターン判定テーブル部としての機能を示す欄である。変動パターン種別判定テーブルの各種別に対応して示されている変動パターンが、各種別に属する変動パターンである。たとえば、図６（ａ）を例にとれば、「スーパーリーチ」の種別に属する変動パターンは、「第１スーパーリーチ」、「第２スーパーリーチ」、「第３スーパーリーチ」、および、「第４スーパーリーチ」である。
【０１０６】
各変動パターン種別に対応する複数の変動パターンのそれぞれに、ランダム３（１〜２２０）のすべての値が、複数の数値範囲に分けて割振られている。たとえば、図６（ａ）を例にとれば、「スーパーリーチ」の変動パターン種別とすることが決定されたときに、所定のタイミングで抽出したランダム３が１〜２２０の乱数値のうち、１〜７０に割振られた判定値のいずれかの数値と合致すると、「第１スーパーリーチ（３０秒）」の変動パターンとすることが決定される。
【０１０７】
第１特別図柄または第２特別図柄について変動表示結果がはずれとなるときには、変動パターンを決定するために、次のように判定テーブルを選択する。非時短状態において、変動表示結果がはずれとなるときには、図６（ａ）の通常状態はずれ時判定テーブルを選択する。一方、時短状態において、変動表示結果がはずれとなるときには、図６（ｂ）の時短状態はずれ時判定テーブルを選択する。なお、図６（ａ），図６（ｂ）の判定テーブルを用いることで、保留数に関わらず、通常状態はずれ時、時短状態はずれ時でのリーチ割合を一定にしている。
【０１０８】
時短状態か否かにかかわらず第１特別図柄または第２特別図柄について変動表示結果が大当りとなるときには、変動パターンを決定するために、次のように判定テーブルを選択する。変動表示結果が通常大当りとなるときには、図６（ｃ）の通常大当り時判定テーブルを選択する。時短状態か否かにかかわらず変動表示結果が確変大当りとなるときには、図６（ｄ）の確変大当り時判定テーブルを選択する。
【０１０９】
図６（ｂ）の時短状態はずれ時判定テーブルでは、図６（ａ）の通常状態はずれ時判定テーブルと比べて、通常変動の変動時間が短く設定されている。そして、図６（ｂ）の時短状態はずれ時判定テーブルでは、図６（ａ）の通常状態はずれ時判定テーブルと比べて、リーチ変動（ノーマルリーチ変動およびスーパーリーチ変動を含む）よりも変動時間が短い通常変動（非リーチはずれ変動（リーチとならずにはずれ表示結果となる変動））に決定される割合が高く、通常変動よりも変動時間が長いリーチ変動に決定される割合が低くなるように、データが設定されている。
【０１１０】
これにより、非時短状態（通常状態）のときと比べて、時短状態のときの方が、変動時間が短い変動パターンが選択される割合が高いので、時短状態のときの方が、非時短状態のときよりも平均的に短い変動時間で変動表示が行なわれることとなる。このように判定テーブルを選択することにより時短状態を実現することができる。また、通常変動を非時短状態よりも時短状態ときの方が変動時間が短くなるように設定することで、時短状態中の保留消化を短縮することができる。
【０１１１】
はずれとなるときに選択される図６（ａ）および図６（ｂ）の判定テーブルでは、リーチの種別の選択割合がノーマルリーチ＞スーパーリーチとなるような高低関係で選択されるようにデータが設定されている。一方、大当りとなるときに選択される図６（ｃ）および図６（ｄ）の判定テーブルでは、リーチの種別の選択割合がノーマルリーチ＜スーパーリーチというような割合の高低関係で選択されるようにデータが設定されている。これにより、大当りとなるときには、はずれとなるときと比べ、スーパーリーチのリーチ演出が行なわれる割合（リーチが選択されるときにおけるスーパーリーチのリーチ演出が占める割合）が高くなるので、スーパーリーチのリーチ演出がされることにより、遊技者の期待感を高めることができる。
【０１１２】
また、大当りのうち確変大当りとなるときに選択される図６（ｄ）の判定テーブルでは、大当りのうち通常大当りとなるときに選択される図６（ｃ）の判定テーブルと比べて、ノーマルリーチに対してスーパーリーチ演出の種別が選択される割合が高くなるようにデータが設定されている。これにより、確変大当りとなるときには、通常大当りとなるときと比べて、スーパーリーチのリーチ演出が行なわれる割合（リーチが選択されるときにおけるスーパーリーチのリーチ演出が占める割合）が高くなるので、スーパーリーチのリーチ演出が行なわれることにより、遊技者の確変大当りへの期待感を高めることができる。
【０１１３】
なお、このような変動パターンは、変動表示をする第１特別図柄および第２特別図柄の合算保留記憶数（合計値）が所定数以上であるとき（たとえば、合算保留記憶数が３以上）と、所定数未満であるときとで選択割合が異なるように設定されることにより、合算保留記憶数が所定数以上であるときには、合算保留記憶数が所定数未満であるときと比べて、変動時間が短縮される保留数短縮制御を実行するようにしてもよい。ただし、保留数短縮制御が実行される条件下でも（たとえば、合算保留記憶数が３以上）リーチ（ノーマルリーチ、スーパーリーチ含む）の割合を一定にすることで、リーチに対する期待感が保たれる。また、リーチの中でもスーパーリーチのみ変動時間が短縮されないようにして、保留数時短制御を実行するようにしてもよい。さらに、保留数時短制御は変動時間が短い通常変動が高い割合で選択されるようにすることで実行可能としてもよく、各変動パターン自体の変動時間を短くすることで実行可能としてもよいし、その組合せでもよい。
【０１１４】
図７は、遊技制御用マイクロコンピュータ５６０が送信する演出制御コマンドの内容の一例を示す説明図である。遊技制御用マイクロコンピュータ５６０においては、図７に示すように、遊技制御状態に応じて、各種の演出制御コマンドを演出制御用マイクロコンピュータ１００へ送信する。
【０１１５】
図７のうち、主なコマンドを説明する。コマンド８０ＸＸ（Ｈ）は、特別図柄の変動表示に対応して演出表示装置９において変動表示される演出図柄の変動パターンを指定する演出制御コマンド（変動パターンコマンド）である（それぞれ変動パターンＸＸに対応）。つまり、図６に示すような使用され得る変動パターンのそれぞれに対して一意な番号を付した場合に、その番号で特定される変動パターンのそれぞれに対応する変動パターンコマンドがある。「（Ｈ）」は１６進数であることを示す。また、変動パターンを指定する演出制御コマンドは、変動開始を指定するためのコマンドでもある。したがって、演出制御用ＣＰＵ１０１は、コマンド８０ＸＸ（Ｈ）を受信すると、演出表示装置９において演出図柄の変動表示を開始するように制御する。
【０１１６】
コマンド８Ｃ０１（Ｈ）〜８Ｃ０３（Ｈ）は、大当りとするか否か、および大当り種別を示す表示結果指定コマンドである。
【０１１７】
コマンド８Ｄ０１（Ｈ）は、第１特別図柄の変動表示を開始することを示す第１図柄変動指定コマンドである。コマンド８Ｄ０２（Ｈ）は、第２特別図柄の変動表示を開始することを示す第２図柄変動指定コマンドである。コマンド８Ｆ００（Ｈ）は、第１，第２特別図柄の変動を終了することを指定するコマンド（図柄確定指定コマンド）である。
【０１１８】
コマンドＡ００１〜Ａ００２（Ｈ）は、大当りの種別（通常大当り、または、確変大当り）ごとに大当り遊技状態開始を指定する大当り開始指定コマンドである。
【０１１９】
コマンドＡ１ＸＸ（Ｈ）は、ＸＸで示す回数目（ラウンド）の大入賞口開放中の表示を示す大入賞口開放中指定コマンドである。Ａ２ＸＸ（Ｈ）は、ＸＸで示す回数目（ラウンド）の大入賞口開放後（閉鎖）を示す大入賞口開放後指定コマンドである。
【０１２０】
コマンドＡ３０１〜Ａ３０２（Ｈ）は、大当りの種別（通常大当り、または、確変大当り）ごとに大当り遊技状態終了を指定する大当り終了指定コマンドである。
【０１２１】
コマンドＡ４０１（Ｈ）は、第１始動入賞があったことを指定する第１始動入賞指定コマンドである。コマンドＡ４０２（Ｈ）は、第２始動入賞があったことを指定する第２始動入賞指定コマンドである。
【０１２２】
コマンドＢ０００（Ｈ）は、遊技状態が通常状態（低確率状態）であることを指定する通常状態指定コマンドである。コマンドＢ００１（Ｈ）は、遊技状態が時短状態（高ベース状態）であることを指定する時短状態指定コマンドである。コマンドＢ００２（Ｈ）は、遊技状態が確変状態（高確率状態）であることを指定する確変状態指定コマンドである。
【０１２３】
コマンドＣ０ＸＸ（Ｈ）は、合算保留記憶数を示す合算保留記憶数指定コマンドである。コマンドＣ１００（Ｈ）は、合算保留記憶数が１減算されることを示す合算保留記憶数減算指定コマンドである。この実施の形態では、合算保留記憶数指定コマンドは、第１始動入賞口１３または第２始動入賞口１４への遊技球の始動入賞時（たとえば、後述する始動口スイッチ通過処理の実行時）に、演出制御用マイクロコンピュータ１００に送られる。また、合算保留記憶数減算指定コマンドは、変動表示開始時（たとえば、後述する特別図柄変動表示中処理の実行時）に演出制御用マイクロコンピュータ１００に送られる。なお、合算保留記憶指定コマンドおよび保留記憶数減算指定コマンドを兼用してもよい。たとえば、合算保留記憶数指定コマンドを、減算後の保留記憶数を特定可能なコマンドとして用いてもよい。なお、合算保留記憶数としてではなく、第１保留記憶数と第２保留記憶数とを特定可能なコマンドをそれぞれ送信し、演出制御用マイクロコンピュータ１００が第１保留記憶数と第２保留記憶数との合計値を合算保留記憶数として特定してもよい。
【０１２４】
コマンドＣ２ＸＸ（Ｈ）およびコマンドＣ３ＸＸ（Ｈ）は、第１始動入賞口１３または第２始動入賞口１４への始動入賞時における大当り判定、大当り種別判定、変動パターン種別判定等の入賞時判定結果の内容を示す演出制御コマンドである。このうち、コマンドＣ２ＸＸ（Ｈ）は、入賞時判定結果のうち、大当りとなるか否か、および、大当りの種別の判定結果を示す図柄指定コマンドである。また、コマンドＣ３ＸＸ（Ｈ）は、入賞時判定結果のうち、変動パターン種別判定用乱数の値がいずれの判定値の範囲となるかの判定結果（変動パターン種別の判定結果）を示す変動種別コマンドである。
【０１２５】
この実施の形態では、遊技制御用マイクロコンピュータ５６０が、始動入賞時に、大当りとなるか否か、大当りの種別、変動パターン種別判定用乱数の値がいずれの判定値の範囲となるかを判定する。そして、図柄指定コマンドのＥＸＴデータに、大当りとなることを指定する値、および、大当りの種別を指定する値を設定し、演出制御用マイクロコンピュータ１００に送信する制御を行なう。変動種別コマンドのＥＸＴデータに変動パターン種別の判定結果としての判定値の範囲を指定する値を設定し、演出制御用マイクロコンピュータ１００に送信する制御を行なう。この実施の形態では、演出制御用マイクロコンピュータ１００が、図柄指定コマンドに設定されている値に基づき、始動入賞時に、表示結果が大当りとなるか否か、および、大当りの種別を認識できるとともに、変動種別コマンドに基づき、変動パターン種別を認識できる。
【０１２６】
次に、遊技制御用マイクロコンピュータ５６０側での保留記憶に対応する乱数等のデータ（保留記憶データ）を保存する領域（保留記憶バッファ）の構成例を説明する。保留記憶バッファは、ＲＡＭ５５に設けられる。
【０１２７】
第１保留記憶バッファには、第１保留記憶数の上限値（この例では４）に対応した保存領域が確保されている。また、第２保留記憶バッファには、第２保留記憶数の上限値（この例では４）に対応した保存領域が確保されている。第１保留記憶バッファおよび第２保留記憶バッファには、ハードウェア乱数である大当り判定用乱数（ランダムＲ）、および、ソフトウェア乱数である大当り種別決定用乱数（ランダム１）、変動パターン種別判定用乱数（ランダム２）、および、変動パターン判定用乱数（ランダム３）が記憶される。
【０１２８】
第１始動入賞口１３または第２始動入賞口１４への入賞に基づいて、ＣＰＵ５６は、乱数回路５０３およびソフトウェア乱数を生成するためのランダムカウンタからこのような乱数値を抽出し、それらを、第１保留記憶バッファまたは第２保留記憶バッファにおける保存領域に保存（格納）する処理を実行する。具体的に、第１始動入賞口１３への入賞に基づいて、これら乱数値が抽出されて第１保留記憶バッファに保存される。また、第２始動入賞口１４への入賞に基づいて、これら乱数値が抽出されて第２保留記憶バッファに保存される。
【０１２９】
第１保留記憶バッファまたは第２保留記憶バッファに前述のような始動入賞に関する情報が記憶されることを「保留記憶される」と示す場合がある。なお、変動パターン種別判定用乱数（ランダム２）および変動パターン判定用乱数（ランダム３）は、始動入賞時に抽出して保存領域に予め格納しておくのではなく、後述する変動パターン設定処理（特別図柄の変動開始時）に抽出するようにしてもよい。
【０１３０】
このように保留記憶バッファに記憶されたデータは、後述するように、始動入賞時に読出されて先読み予告演出のために用いられるとともに、変動表示開始時に読出されて変動表示のために用いられる。
【０１３１】
第１始動入賞口１３または第２始動入賞口１４への始動入賞があったときには、図柄指定コマンド、変動種別コマンド、第１（第２）始動入賞指定コマンド、および、合算保留記憶数指定コマンドというような、始動入賞時判定処理の判定結果を示すコマンドが、主基板３１から演出制御基板８０へと送信される。演出制御用マイクロコンピュータ１００のＲＡＭ１０３に設けられた始動入賞時受信コマンドバッファには、受信した図柄指定コマンド、変動種別コマンド、第１（第２）始動入賞指定コマンド、および、合算保留記憶数指定コマンド等の各種コマンドを対応付けて格納できるように、受信したコマンドを特定可能なデータを記憶する記憶領域が確保されている。
【０１３２】
この実施の形態において、第１特別図柄および第２特別図柄の変動表示に対応して行なわれる演出図柄の演出制御パターンは、複数種類の変動パターンに対応して、演出図柄の変動表示動作、リーチ演出等における演出表示動作、あるいは、演出図柄の変動表示を伴わない各種の演出動作というような、様々な演出動作の制御内容を示すデータ等から構成されている。また、予告演出制御パターンは、予め複数パターンが用意された予告パターンに対応して実行される予告演出となる演出動作の制御内容を示すデータ等から構成されている。各種演出制御パターンは、パチンコ遊技機１における遊技の進行状況に応じて実行される各種の演出動作に対応して、その制御内容を示すデータ等から構成されている。
【０１３３】
次に、パチンコ遊技機１の動作について説明する。パチンコ遊技機１においては、主基板３１における遊技制御用マイクロコンピュータ５６０が予め定められたメイン処理を実行すると、所定時間（たとえば２ｍｓ）毎に定期的にタイマ割込がかかりタイマ割込処理が実行されることにより、各種の遊技制御が実行可能となる。
【０１３４】
メイン処理においては、たとえば、必要な初期設定処理、通常時の初期化処理、通常時以外の遊技状態復旧処理、乱数回路設定処理（乱数回路５０３を初期設定）、表示用乱数更新処理（変動パターンの種別決定、変動パターン決定等の各種乱数の更新処理）、および、初期値用乱数更新処理（普通図柄当り判定用乱数発生カウンタのカウント値の初期値の更新処理）等が実行される。
【０１３５】
図８は、タイマ割込処理を示すフローチャートである。タイマ割込が発生すると、ＣＰＵ５６は、図８に示すステップＳ（以下、単に「Ｓ」と示す）２０〜Ｓ３４のタイマ割込処理を実行する。タイマ割込処理において、まず、電源断信号が出力されたか否か（オン状態になったか否か）を検出する電源断検出処理を実行する（Ｓ２０）。次いで、入力ドライバ回路５８を介して、ゲートスイッチ３２ａ、第１始動口スイッチ１３ａ、第２始動口スイッチ１４ａおよびカウントスイッチ２３の検出信号を入力し、それらの状態判定を行なう（スイッチ処理：Ｓ２１）。
【０１３６】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行なう表示制御処理を実行する（Ｓ２２）。第１特別図柄表示器８ａ、第２特別図柄表示器８ｂおよび普通図柄表示器１０については、Ｓ３２，Ｓ３３で設定される出力バッファの内容に応じて各表示器に対して駆動信号を出力する制御を実行する。
【０１３７】
また、遊技制御に用いられる普通図柄当り判定用乱数および大当り種別判定用乱数等の各判定用乱数を生成するための各カウンタのカウント値を更新する処理を行なう（判定用乱数更新処理：Ｓ２３）。ＣＰＵ５６は、さらに、初期値用乱数および表示用乱数を生成するためのカウンタのカウント値を更新する処理を行なう（初期値用乱数更新処理，表示用乱数更新処理：Ｓ２４，Ｓ２５）。
【０１３８】
さらに、ＣＰＵ５６は、特別図柄プロセス処理を行なう（Ｓ２６）。特別図柄プロセス処理では、第１特別図柄表示器８ａ、第２特別図柄表示器８ｂおよび大入賞口を所定の順序で制御するための特別図柄プロセスフラグにしたがって該当する処理を実行し、特別図柄プロセスフラグの値を、遊技状態に応じて更新する。
【０１３９】
次いで、普通図柄プロセス処理を行なう（Ｓ２７）。普通図柄プロセス処理では、ＣＰＵ５６は、普通図柄表示器１０の表示状態を所定の順序で制御するための普通図柄プロセスフラグにしたがって該当する処理を実行し、普通図柄プロセスフラグの値を、遊技状態に応じて更新する。
【０１４０】
また、ＣＰＵ５６は、演出制御用マイクロコンピュータ１００に演出制御コマンドを送出する処理を行なう（演出制御コマンド制御処理：Ｓ２８）。さらに、ＣＰＵ５６は、たとえばホール管理用コンピュータに供給される大当り情報、始動情報、確率変動情報等のデータを出力する情報出力処理を行なう（Ｓ２９）。
【０１４１】
また、ＣＰＵ５６は、第１始動口スイッチ１３ａ、第２始動口スイッチ１４ａおよびカウントスイッチ２３の検出信号に基づく賞球個数の設定等を行なう賞球処理を実行する（Ｓ３０）。
【０１４２】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（Ｓ３１：出力処理）。
【０１４３】
また、ＣＰＵ５６は、特別図柄プロセスフラグの値に応じて特別図柄の演出表示を行なうための特別図柄表示制御データを特別図柄表示制御データ設定用の出力バッファに設定する特別図柄表示制御処理を行なう（Ｓ３２）。
【０１４４】
さらに、ＣＰＵ５６は、普通図柄プロセスフラグの値に応じて普通図柄の演出表示を行なうための普通図柄表示制御データを普通図柄表示制御データ設定用の出力バッファに設定する普通図柄表示制御処理を行なう（Ｓ３３）。また、ＣＰＵ５６は、出力バッファに設定された表示制御データに応じて、Ｓ２２において駆動信号を出力することによって、普通図柄表示器１０における普通図柄の演出表示を実行する。
【０１４５】
その後、割込許可状態に設定し（Ｓ３４）、処理を終了する。以上の制御によって、この実施の形態では、遊技制御処理は所定時間毎に起動されることになる。
【０１４６】
図９は、特別図柄プロセス処理（Ｓ２６）を示すフローチャートである。特別図柄プロセス処理では、第１特別図柄表示器８ａまたは第２特別図柄表示器８ｂおよび大入賞口を制御するための処理が実行される。特別図柄プロセス処理においては、始動口スイッチ通過処理を実行する（Ｓ３１２）。そして、内部状態に応じて、Ｓ３００〜Ｓ３０７のうちのいずれかの処理を行なう。
【０１４７】
遊技制御用マイクロコンピュータ５６０において、ＲＡＭ５５には、前述したように、第１始動入賞口１３への始動入賞に基づいて得られる大当り判定用乱数等の保留記憶データ（第１保留記憶データ）が記憶される第１保留記憶バッファと、第２始動入賞口１４への始動入賞に基づいて得られる大当り判定用乱数等の保留記憶データ（第２保留記憶データ）が記憶される第２保留記憶バッファとが設けられている。これら各保留記憶バッファには、各保留記憶の記憶数の上限値（この例では４）に対応した保存領域が確保されている。
【０１４８】
始動口スイッチ通過処理では、第１始動口スイッチ１３ａがオンしていれば、第１保留記憶数が上限値（たとえば、４）に達していないことを条件として、第１保留記憶データの記憶数を計数する第１保留記憶数カウンタの値を１増やし、乱数回路５０３やソフトウェア乱数を生成するためのカウンタから数値データ（たとえば、大当り判定用乱数、変動パターン種別判定用乱数、および、変動パターン判定用乱数）を抽出し、それらを、第１保留記憶バッファにおける保存領域に保存（格納）する処理を実行する。さらに、合算保留記憶数カウンタの値を１増やし、合算後の合算保留記憶数カウンタの値に対応した保留特定領域に「第１」を示すデータを保存（格納）する処理を実行する。一方、第２始動口スイッチ１４ａがオンしていれば、第２保留記憶数が上限値（たとえば、４）に達していないことを条件として、第２保留記憶データの記憶数を計数する第２保留記憶数カウンタの値を１増やし、乱数回路５０３やソフトウェア乱数を生成するためのカウンタから数値データ（たとえば、大当り判定用乱数、変動パターン種別判定用乱数、および、変動パターン判定用乱数）を抽出し、それらを、第２保留記憶バッファにおける保存領域に保存（格納）する処理を実行する。さらに、合算保留記憶数カウンタの値を１増やし、合算後の合算保留記憶数カウンタの値に対応した保留特定領域に「第２」を示すデータを保存（格納）する処理を実行する。
【０１４９】
Ｓ３００〜Ｓ３０７の処理は、以下のような処理である。特別図柄通常処理（Ｓ３００）は、変動表示の表示結果を大当りとするか否かの決定、および、大当りとする場合の大当り種別の決定等を行なう処理である。変動パターン設定処理（Ｓ３０１）は、変動パターンの決定（変動パターン種別判定用乱数および変動パターン判定用乱数を用いた変動パターンの決定）、および、決定された変動パターンに応じて変動時間を計時するための変動時間タイマの計時開始等の制御を行なう処理である。
【０１５０】
表示結果指定コマンド送信処理（Ｓ３０２）は、演出制御用マイクロコンピュータ１００に、表示結果指定コマンドを送信する制御を行なう処理である。特別図柄変動中処理（Ｓ３０３）は、変動パターン設定処理で選択された変動パターンの変動時間が経過すると特別図柄停止処理にプロセスを進める処理である。特別図柄停止処理（Ｓ３０４）は、決定された変動パターンに対応する変動時間の経過が変動時間タイマにより計時されたときに第１特別図柄表示器８ａまたは第２特別図柄表示器８ｂにおける変動表示を停止して停止図柄を導出表示させる処理である。
【０１５１】
大入賞口開放前処理（Ｓ３０５）は、大当りの種別に応じて、特別可変入賞球装置２０において大入賞口を開放する制御等を行なう処理である。大入賞口開放中処理（Ｓ３０６）は、大当り遊技状態中のラウンド表示演出用の演出制御コマンドを演出制御用マイクロコンピュータ１００に送信する制御、および、大入賞口の閉成条件の成立を確認する処理等を行なう処理である。大入賞口の閉成条件が成立し、かつ、まだ残りラウンドがある場合には、大入賞口開放前処理（Ｓ３０５）に移行する。また、全てのラウンドを終えた場合には、大当り終了処理（Ｓ３０７）に移行する。大当り終了処理（Ｓ３０７）は、大当り遊技状態が終了したことを遊技者に報知する表示制御を演出制御用マイクロコンピュータ１００に行なわせるための制御等を行なう処理である。
【０１５２】
次に、演出制御用マイクロコンピュータ１００の動作を説明する。図１０は、演出制御基板８０に搭載されている演出制御用マイクロコンピュータ１００（具体的には、演出制御用ＣＰＵ１０１）が実行する演出制御メイン処理を示すフローチャートである。
【０１５３】
演出制御用ＣＰＵ１０１は、電源が投入されると、演出制御メイン処理の実行を開始する。演出制御メイン処理では、まず、ＲＡＭ領域のクリアや各種初期値の設定、また演出制御の起動間隔（たとえば、２ｍｓ）を決めるためのタイマの初期設定等を行なうための初期化処理を行なう（Ｓ７０１）。その後、演出制御用ＣＰＵ１０１は、タイマ割込フラグの監視（Ｓ７０２）を行なうループ処理に移行する。タイマ割込が発生すると、演出制御用ＣＰＵ１０１は、タイマ割込処理においてタイマ割込フラグをセットする。演出制御メイン処理において、タイマ割込フラグがセットされていたら、演出制御用ＣＰＵ１０１は、そのフラグをクリアし（Ｓ７０３）、以下の演出制御処理を実行する。
【０１５４】
演出制御処理において、演出制御用ＣＰＵ１０１は、まず、受信した演出制御コマンドを解析し、受信した演出制御コマンドがどのようなことを指示するコマンドであるかを特定可能なフラグ等のデータをセットする処理（たとえば、ＲＡＭ１０３に設けられた各種コマンド格納領域に受信したコマンドを特定可能なデータを格納する処理等）等を行なう（コマンド解析処理：Ｓ７０４）。次いで、演出制御用ＣＰＵ１０１は、演出制御プロセス処理を行なう（Ｓ７０５）。演出制御プロセス処理では、Ｓ７０４で解析した演出制御コマンドの内容にしたがって演出表示装置９での演出図柄の変動表示等の各種演出を行なうために、制御状態に応じた各プロセスのうち、現在の制御状態（演出制御プロセスフラグ）に対応した処理を選択して演出制御を実行する。
【０１５５】
次いで、演出制御用マイクロコンピュータ１００が用いる乱数（演出図柄の左停止図柄決定用のＳＲ１−１、演出図柄の中停止図柄決定用のＳＲ１−２、演出図柄の右停止図柄決定用のＳＲ１−３等）を生成するためのカウンタのカウント値を更新する乱数更新処理を実行する（Ｓ７０６）。このような乱数ＳＲ１−１〜ＳＲ１−３のそれぞれは、ソフトウェアによりカウント値を更新するランダムカウンタのカウントにより生成されるものであり、それぞれについて予め定められた範囲内でそれぞれ巡回更新され、それぞれについて定められたタイミングで抽出されることにより乱数として用いられる。
【０１５６】
次いで、保留表示エリアにおける保留表示の表示状態の制御（保留表示の移動、消去等）を行なう保留記憶表示制御処理を実行する（Ｓ７０７）。
【０１５７】
このような演出制御メイン処理が実行されることにより、演出制御用マイクロコンピュータ１００では、遊技制御用マイクロコンピュータ５６０から送信され、受信した演出制御コマンドに応じて、演出表示装置９、各種ランプ、および、スピーカ２７Ｌ，２７Ｒ等の演出装置を制御することにより、遊技状態に応じた各種の演出制御が行なわれる。
【０１５８】
図１１は、図１０に示された演出制御メイン処理における演出制御プロセス処理（Ｓ７０５）を示すフローチャートである。演出制御プロセス処理では、演出制御用ＣＰＵ１０１は、先読み演出を実行するか否かの決定、および、先読み演出の種類の選択をする先読み演出処理（Ｓ７００）を実行した後、演出制御プロセスフラグの値に応じてＳ８００〜Ｓ８０７のうちのいずれかの処理を行なう。
【０１５９】
演出制御プロセス処理では、以下のような処理が実行される。演出制御プロセス処理では、演出表示装置９の表示状態が制御され、演出図柄の変動表示が実現されるが、第１特別図柄の変動に同期した演出図柄の変動表示に関する制御も、第２特別図柄の変動に同期した演出図柄の変動表示に関する制御も、一つの演出制御プロセス処理において実行される。
【０１６０】
先読み演出処理（Ｓ７００）は、先読み演出を実行するか否か等の先読み判定、および、先読み演出を実行するときの演出態様の決定等を行なう処理である。先読み演出とは、ある保留情報（保留記憶情報）に基づいた特別図柄の変動表示（図柄変動）の順番が到来する前に、その保留情報を先読みしてその保留情報に基づいた特別図柄の変動表示の内容を判定して、将来の特別図柄の変動表示がどのようになるかを、それよりも前の段階で予告をする等の演出技術である。たとえば、保留情報が大当りであるときに、当該保留情報による変動表示が実行される前に、当該保留情報に対応する保留表示の表示態様に基づいて、後に大当りが発生する可能性のあることを予告するといった類の演出が先読み演出として行なわれる。以下では、先読み演出の対象とした保留情報に基づいた変動表示を「ターゲットの変動表示」と称する。
【０１６１】
変動パターンコマンド受信待ち処理（Ｓ８００）は、遊技制御用マイクロコンピュータ５６０から変動パターンコマンドを受信しているか否か確認する処理等を行なう処理である。変動パターンコマンドを受信していれば、演出図柄変動開始処理に移行する。
【０１６２】
演出図柄変動開始処理（Ｓ８０１）は、演出図柄（飾り図柄）の変動表示が開始されるように制御するための処理である。演出図柄変動中処理（Ｓ８０２）は、変動パターンを構成する各変動状態（変動速度）の切替えタイミングを制御する処理等を行なう処理である。演出図柄変動停止処理（Ｓ８０３）は、演出図柄（飾り図柄）の変動表示を停止し、変動表示の表示結果（最終停止図柄）を導出表示する制御を行なう処理である。
【０１６３】
大当り表示処理（Ｓ８０４）は、変動時間の終了後、演出表示装置９に大当りの発生を報知するためのファンファーレ演出を表示する制御等の表示制御を行なう処理である。ラウンド中処理（Ｓ８０５）は、ラウンド中の表示制御を行なう処理である。ラウンド終了条件が成立したときに、最終ラウンドが終了していなければ、ラウンド後処理に移行し、最終ラウンドが終了していれば、大当り終了処理に移行する。ラウンド後処理（Ｓ８０６）は、ラウンド間の表示制御を行なう処理である。ラウンド開始条件が成立したら、ラウンド中処理に移行する。大当り終了演出処理（Ｓ８０７）は、演出表示装置９において、大当り遊技状態が終了したことを遊技者に報知する表示制御を行なう処理である。
【０１６４】
演出制御用ＣＰＵ１０１は、変動表示の開始時から変動表示の停止時まで、および、大当り遊技状態開始時から大当り遊技状態終了時までの予め定められた演出制御期間中に、ＲＯＭ１０２に格納されたプロセステーブルに設定されているプロセスデータに従って演出表示装置９等の演出装置（演出用部品）の制御を行なう。
【０１６５】
プロセステーブルは、プロセスタイマ設定値と、表示制御実行データ、ランプ制御実行データおよび音番号データの組合せが複数集まったデータとで構成されている。表示制御実行データには、演出図柄（飾り図柄）の変動表示の変動時間（変動表示時間）中の変動態様を構成する各変動の態様を示すデータ等が記載されている。具体的には、演出表示装置９の表示画面の変更に関わるデータが記載されている。また、プロセスタイマ設定値には、その変動の態様での変動時間が設定されている。演出制御用ＣＰＵ１０１は、プロセステーブルを参照し、プロセスタイマ設定値に設定されている時間だけ表示制御実行データに設定されている変動の態様で演出図柄を表示させる制御を行なう。このようなプロセステーブルは、各変動パターンに応じて用意されている。
【０１６６】
［図柄煽り演出］
次に、本実施の形態で実行される図柄煽り演出について説明する。図柄煽り演出とは、複数のリーチ図柄から形成される複数のリーチラインにおいて、中図柄が変動表示するときに当該変動表示する中図柄がリーチライン上に停止するか否かを煽る演出である。
【０１６７】
図柄煽り演出は、演出表示装置９の表示画面上において実行される演出である。演出表示装置９は、図柄送り演出の実行時において、同時に複数種類の画像を表示することができる。複数の画像とは、たとえば、数字を示す画像（以下、単に数字図柄と称する）、エフェクト画像、背景画像、保留表示を示す画像などである。これらの画像の位置関係は、遊技者から見て最も手前に位置するものが、数字図柄および保留表示であり、数字図柄の後方に位置するのがエフェクト画像であり、数字図柄やエフェクト画像のさらに後方に位置するのが背景画像である。これら複数の画像が、図柄煽り演出時おいて演出表示装置９により同時に表示される。よって、複数の画像が重畳して表示される場合には、重畳し合っている画像の視認性が低下する。ここで、「視認性」とは、目で見たときの確認のしやすさを意味し、デザインや人間工学の分野において、背景に対し色や形が際立っていたり、文字が大きくてわかりやすかったりする度合いのことである。まず、視認性という観点から、各種画像について説明する。
【０１６８】
［数字図柄とエフェクト画像］
数字図柄とは、第１特別図柄または第２特別図柄の変動表示に同期して変動表示する演出図柄である数字を示す画像（たとえば、図１２（ｃ）〜（ｇ）における数字の画像等）である。数字図柄は、数字の「１」〜「９」等複数種類設けられている。数字図柄は大当りとなるかはずれとなるかの表示結果を示す重要な画像であるため、視認性が低下することは極力避けた方がよい。特に、図柄煽り演出により大当りとなるか否かを煽る際には、数字図柄の視認性が高く、強調表示されることが望ましい。なお、数字図柄以外に、擬似連が実行されることを示す擬似連図柄、保留表示の表示態様が変化することを示す変化図柄などが変動表示される図柄に含まれていてもよい。
【０１６９】
演出制御用ＣＰＵ１０１は、演出表示装置９の画面上において数字図柄を表示するにあたり、特定の数字図柄を他の数字図柄とは異なる態様で表示することができる。たとえば、特定の数字図柄を拡大して表示（たとえば、図１２（ｄ）〜（ｇ）の数字図柄Ｆ１等）することにより、特定の数字図柄を強調した表示とすることができる。また、演出制御用ＣＰＵ１０１は、特定の数字図柄にエフェクト画像を施して表示（たとえば、図１２（ｄ），（ｆ），（ｇ）のエフェクト画像Ｆ２等）することもできる。ここで、エフェクト画像とは、前面にある数字図柄の背景や数字図柄の周囲に付加される画像であり、数字図柄を強調するための画像である。したがって、特定の数字図柄にエフェクト画像を施して表示することで、特定の数字図柄を強調した表示とすることができる。
【０１７０】
［背景画像］
背景画像とは、数字図柄とは異なる画像で、数字図柄（数字図柄にエフェクト画像が施されている場合にはエフェクト画像）の背景に位置する画像（たとえば、図１２のキャラクタ画像Ｄ１やキャラクタ画像Ｄ２等）である。背景画像は、遊技の興趣を向上させるために表示される画像であり、数字図柄の変動表示とは無関係に表示される。したがって、数字図柄やエフェクト画像と背景画像とが重畳して表示される場合と、数字図柄やエフェクト画像と背景画像とが重畳することなく表示される場合とがある。また、背景画像は、動く画像、つまり、映像である場合を説明するが、背景画像が静止画であってもよい。
【０１７１】
背景画像は、視認性という観点からみると２種類あり、視認性が低い態様で表示されるもの（たとえば、図１２（ｄ），（ｆ），（ｇ）のキャラクタ画像Ｄ２等）と、視認性が高い態様（たとえば、図１２（ｃ），（ｅ），（ｈ）のキャラクタ画像Ｄ１等）で表示されるものとがある。視認性が低い態様で表示されるとは、背景画像が不明瞭に表示されることであり、具体的には、背景画像をぼかして表示することである。ここで、「ぼかす」とは、輪郭や色の濃淡の境目をきわだたせなくして、ぼんやりさせることである。
【０１７２】
［保留表示］
保留表示とは、第１保留記憶数と第２保留記憶数との合計数（合算保留記憶数）を表示する画像であり、演出表示装置９の下部に表示される画像（たとえば、図１２における演出表示装置９の左下部にある白丸で示された画像）である。第１保留記憶数とは、遊技球が、第１始動入賞口１３へ入賞したにもかかわらず、第１特別図柄の変動表示を開始できる状態でない場合に、第１保留記憶数が上限値に達していないことを条件として、変動表示に関する情報を記憶するために加算されるものである。また、第２保留記憶数とは、遊技球が、第２始動入賞口１４へ入賞したにもかかわらず、第２特別図柄の変動表示を開始できる状態でない場合に、第２保留記憶数が上限値に達していないことを条件として、変動表示に関する情報を記憶するために加算されるものである。保留表示は、背景画像が視認性の低い態様（たとえば、図１２（ｄ），（ｆ），（ｇ）のキャラクタ画像Ｄ２等）で表示される場合であっても、背景画像が視認性の高い態様（たとえば、図１２（ｃ），（ｅ），（ｈ）のキャラクタ画像Ｄ１等）で表示される場合であっても、遊技者による視認性が低下することなく表示される。
【０１７３】
次に、変動表示の変動パターンが第１スーパーリーチで、かつ、表示結果が大当りである場合の演出表示装置９において実行される図柄煽り演出の表示例について説明する。図１２は、図柄煽り演出を説明するための図である。図１２（ａ）〜（ｈ）の順で図柄煽り演出が実行される。図１２（ａ）は、変動表示の実行条件が成立したことに基づいて、変動表示が開始された状態を示している。左，中，右の演出図柄９１，９２、９３が変動表示中である状態が、３つの下向き矢印で示されている。また、演出表示装置９の表示領域において、３つの下向き矢印の下方には、保留表示Ｈが表示されている。
【０１７４】
その後リーチ状態を経由して図１２（ｂ）のような、３ラインリーチの図柄煽り演出が実行される。図柄煽り演出には、３ライン〜５ラインの図柄煽り演出が設けられている。図１２（ｂ）に示すように、いずれの図柄煽り演出が実行されるかが演出表示装置９の画面上で示される。図柄煽り演出が実行されるときには、１ラインから始まり、時間の経過とともに、決定されたライン数となるように数字図柄が増加する。
【０１７５】
そして、図１２（ｃ）のように、３ラインリーチの図柄煽り演出では、演出表示装置９の画面の左右に３，４，５の数字図柄が表示され、３回の図柄煽りが実行される可能性が示される。また、数字図柄とは別に数字図柄と異なる画像により、数字図柄よりも遊技者から見て背景に背景画像としてキャラクタ画像Ｄ１が表示される。
【０１７６】
図１２（ｃ）の状態から、拡大された３の数字図柄Ｆ１が画面の上方から下方に降りて来る。このとき数字図柄Ｆ１の降下にともない数字図柄Ｆ１を取囲むようにエフェクト画像Ｆ２が付加される。数字図柄Ｆ１が表示された直後は、数字図柄Ｆ１とキャラクタ画像Ｄ１とが重畳して表示されていないため、キャラクタ画像Ｄ１の視認性は高い。キャラクタ画像Ｄ１は、所定の動作を実行する（たとえば、ウインクする等）映像として表示される。
【０１７７】
その後、図１２（ｄ）に示すように、数字図柄Ｆ１とキャラクタ画像Ｄ１が重畳して表示されるにともない、キャラクタ画像Ｄ１にぼかしが入ることによりキャラクタ画像Ｄ２のような視認性が低下された状態で表示される。図１２（ｄ）に示す点線は、キャラクタ画像Ｄ２がぼかされて表示されたことを示している。図１２（ｄ）のぼかし状態でもキャラクタ画像Ｄ２は、所定の動作を実行する（たとえば、ウインクする等）映像として表示されている。そして、拡大表示された３の数字図柄Ｆ１が３で示すライン上で停止するか否かを煽るようにゆっくりと降下した後、停止せずに降下スピードを上げ、画面上から消える。
【０１７８】
３の数字図柄Ｆ１が消えた後は、視認性の高い態様で再びキャラクタ画像Ｄ１が表示される。そして、図１２（ｅ）に示すように、拡大された４の数字図柄Ｆ１が画面の上方から下方に降りて来る。数字図柄Ｆ１が表示された直後は、数字図柄Ｆ１とキャラクタ画像Ｄ１とが重畳して表示されていないため、キャラクタ画像Ｄ１の視認性は高い。数字図柄Ｆ１の降下にともない数字図柄Ｆ１を取囲むようにエフェクト画像Ｆ２が付加される。その後、図１２（ｆ）に示すように、数字図柄Ｆ１とキャラクタ画像Ｄ１が重畳して表示されるにともない、キャラクタ画像Ｄ１にぼかしが入ることによりキャラクタ画像Ｄ２のような視認性が低下された状態で表示される。そして、拡大表示された４の数字図柄Ｆ１が３で示すライン上で停止するか否かを煽るようにゆっくりと降下した後、停止せずに降下スピードを上げ、画面上から消える。
【０１７９】
その後、３ラインリーチの最終の図柄煽り演出が５の数字図柄Ｆ１により実行される様子が図１２（ｇ）に示される。図１２（ｇ）では、図１２（ｄ）や（ｆ）よりもエフェクト画像Ｆ２が拡大された状態で表示される。このように、大当りとなるか否かを煽る最終の図柄煽りでは、まだ図柄煽り回数が残っている場合と比べ、数字図柄Ｆ１に着目できるように、数字図柄の視認性がより高く表示されるエフェクト画像Ｆ２の態様となる。
【０１８０】
その後、５の数字図柄Ｆ１が３つ揃い、大当り表示結果となったことが示された後に、図１２（ｈ）に示すように、キャラクタ画像Ｄ１が再び視認性の高い状態となる。そして、画面中央で大当り報知が実行されるとともに、画面右下に大当り図柄が小さく表示される。大当り報知時には、視認性の高いキャラクタ画像Ｄ１で表示されるので、遊技者を背景画像に注目させることができる。
【０１８１】
図１２（ｃ），（ｅ），（ｈ）では、数字図柄Ｆ１と背景画像とが重畳して表示されていない。このような場合には、画像が重畳しておらず、数字図柄Ｆ１の視認性が低下する虞がないため、背景画像であるキャラクタ画像Ｄ１が視認性の高い状態で表示される。また、図１２（ｄ），（ｆ），（ｇ）では、数字図柄Ｆ１と背景画像とが重畳して表示される。このような場合には、数字図柄Ｆ１の視認性が低下する虞があるため、背景画像に当たるキャラクタ画像Ｄ２が視認性の低い態様で表示される。このように、背景画像を表示するにあたり、一つの変動表示の中で、視認性が低い態様と、視認性が高い態様とに変化させて表示することができる。このようにすれば、図柄と背景画像とが重畳する場合には、背景画像の前景にある数字図柄Ｆ１の視認性が低下することを防止できるとともに、図柄と背景画像とが重畳しない場合には、背景画像に遊技者を注目させることができる。よって、背景画像と数字図柄Ｆ１とを好適に表示することにより、数字図柄Ｆ１を強調した表示とすることができる。
【０１８２】
また、図１２（ｄ），（ｆ），（ｇ）では、背景画像をぼかした表示態様のキャラクタ画像Ｄ２で表示している。このようにすれば、背景画像をぼかすことにより、数字図柄Ｆ１を強調した表示とすることができる。
【０１８３】
また、数字図柄Ｆ１は、１〜９の数字図柄が設けられている。そして、図１２（ｄ），（ｆ），（ｇ）に示すように、３，４，５のような図柄煽り演出に対応した数字図柄Ｆ１が拡大されて表示されるときに視認性を低下させたキャラクタ画像Ｄ２で表示する。このようにすれば、特定の数字図柄Ｆ１を強調表示することができる。
【０１８４】
また、図１２（ｄ），（ｆ），（ｇ）に示すように、３，４，５のような図柄煽り演出に対応した数字図柄Ｆ１にエフェクト画像Ｆ２を付加することにより数字図柄Ｆ１を強調表示する。このようにすれば、特定の数字図柄Ｆ１を強調表示することができる。
【０１８５】
また、図１２（ｄ），（ｆ），（ｇ）に示すように、エフェクト画像Ｆ２は視認性の高い状態で表示する。このように、視認性の低下しないエフェクト画像Ｆ２により、特定の数字図柄Ｆ１を強調表示することができる。
【０１８６】
また、図１２（ｄ），（ｆ），（ｇ）に示すように、数字図柄Ｆ１そのものを拡大表示することや、数字図柄Ｆ１にエフェクト画像Ｆ２を付加することで図柄を強調表示することができる。さらに、エフェクト画像Ｆ２自体を拡大して表示することで、拡大された数字図柄Ｆ１によって図柄を強調している。とくに、図１２（ｇ）は、大当りに対する最終の煽りにあたることから、エフェクト画像Ｆ２をより拡大して表示するなどして、図柄をより強調することができる。
【０１８７】
また、図１２（ｄ），（ｆ），（ｇ）に示すように、視認性を低下した状態でキャラクタ画像Ｄ２が表示されているときにも保留表示Ｈの視認性は低下させずに表示される。このようにすれば、背景画像の視認性に関わらず、保留表示Ｈの視認性を一定に保つことができ、保留表示Ｈの視認性が低下することを防止できる。
【０１８８】
次に、図柄煽り演出の演出内容および、エフェクト画像の表示態様を決定するためのテーブルについて説明する。図１３は、図柄煽り演出実行決定テーブルおよびエフェクト画像決定テーブルを示す図である。
【０１８９】
図１３（Ａ）,（Ｂ）は、図柄煽り演出実行決定テーブルを示す図である。図柄煽り演出実行決定テーブルは、図柄煽り演出を実行するか否かを決定するとともに、図柄煽り演出を実行する場合は、５ラインリーチ演出、４ラインリーチ演出、および３ラインリーチ演出のうち、いずれの図柄煽り演出を実行するのかを決定するための抽選に用いるデータテーブルである。図柄煽り演出実行決定テーブルには、図１３（Ａ）の大当り時図柄煽り演出実行決定テーブルと、図１３（Ｂ）のはずれ時図柄煽り演出実行決定テーブルとが含まれている。これらの図柄煽り演出実行決定テーブルは、演出制御基板８０に設けられたＲＯＭ１０２に記憶されている。ここで、図柄煽り演出とは、遊技者にとって有利な状態である大当り状態に制御されることを期待させる演出である。よって、図柄煽り演出が実行された場合には、図柄煽り演出が実行されなかった場合よりも大当りに対する期待度が高い。
【０１９０】
図１３（Ａ）の大当り時図柄煽り演出実行決定テーブルは、所定のタイミングで抽出したＳＲ２の値によって、「５ラインリーチ演出を実行する＞４ラインリーチ演出を実行する＞３ラインリーチ演出を実行する＞図柄煽り演出を実行しない」という大小関係となるようにデータが設定されている。図１３（Ｂ）のはずれ時図柄煽り演出実行決定テーブルは、所定のタイミングで抽出したＳＲ２の値によって、「５ラインリーチ演出を実行する＜４ラインリーチ演出を実行する＜３ラインリーチ演出を実行する＜図柄煽り演出を実行しない」という大小関係となるようにデータが設定されている。
【０１９１】
図１３（Ａ），（Ｂ）でのデータの設定により、変動表示の表示結果が大当り表示結果となるときには、はずれ表示結果となるときと比べ、図柄煽り演出が実行される割合が高くなる。また、大当り表示結果となるときには、３ラインリーチ演出よりも４ラインリーチ演出の方が高い割合で実行され、５ラインリーチ演出は４ラインリーチ演出よりも高い割合で実行される。よって、図柄煽り演出が実行される場合には、図柄煽り演出が実行されない場合よりも、遊技者の大当りに対する期待度を高めることができる。さらに、５ラインリーチ演出が実行される場合には、４ラインリーチ演出や３ラインリーチ演出が実行される場合よりも、遊技者の大当りに対する期待度を高めることができる。
【０１９２】
図１３（Ａ），（Ｂ）でのデータの設定により、変動表示の表示結果がはずれ表示結果となるときには、当り表示結果となるときに比べ、図柄煽り演出無しに高い割合で決定される。ここで、はずれ表示結果は、大当り表示結果に対し相対的に多く実行される。つまり、大当りよりも実行される割合の高いはずれのパターンにおいて、図柄煽り演出無しに高い割合で決定される。
【０１９３】
図１３（Ｃ），（Ｄ）は、エフェクト画像決定テーブルを示す図である。図柄に施されるエフェクト画像の態様には、大きいもの（「大」）と小さいもの（「小」）の２種類がある。エフェクト画像決定テーブルは、施されるエフェクト画像が、いずれの態様であるかを決定するための抽選に用いるデータテーブルである。ここで、エフェクト画像の「大」，「小」は、図柄煽り演出の最終の図柄煽り時のエフェクト画像の大きさを示している。エフェクト画像決定テーブルには、図１３（Ｃ）の大当り時エフェクト画像決定テーブルと、図１３（Ｄ）のはずれ時エフェクト画像決定テーブルとが含まれている。これらのエフェクト画像決定テーブルは、演出制御基板８０に設けられたＲＯＭ１０２に記憶されている。
【０１９４】
図１３（Ｃ）の大当り時エフェクト画像決定テーブルは、所定のタイミングで抽出したＳＲ３の値によって、決定されるエフェクト画像の態様が「「大」＞「小」」という大小関係となるように、データが設定されている。図１３（Ｄ）のはずれ時エフェクト画像決定テーブルは、所定のタイミングで抽出したＳＲ３の値によって、決定されるエフェクト画像の態様が「「大」＜「小」」という大小関係となるように、データが設定されている。
【０１９５】
図１３（Ｃ），（Ｄ）でのデータの設定により、変動表示の表示結果が大当り表示結果となるときには、はずれ表示結果となるときと比べ、大きいエフェクト画像が決定される割合が高くなる。よって、図柄に大きいエフェクト画像が施される場合には、小さいエフェクト画像が施される場合よりも、遊技者の大当りに対する期待度を高めることができる。したがって、特定の数字図柄を強調表示する図柄煽り演出において、エフェクト画像の付加パターンについて、遊技者に注目させることができる。
【０１９６】
図１４は、演出設定処理を示すフローチャートである。図１４においては、演出図柄変動開始処理（Ｓ８０１）における演出設定処理に含まれる各種の演出の設定に関する処理のうち、図柄煽り演出とエフェクト画像の設定に関係する処理が示されている。演出設定処理において、演出制御用ＣＰＵ１０１は、次のような処理を行なうことによって、図柄煽り演出で実行される各種演出を決定し、図柄に付加されるエフェクト画像を決定する。
【０１９７】
まず、今回実行される変動表示の変動パターンが第１スーパーリーチの変動パターンであるか否かを今回の変動に際して受信した変動パターンコマンドに基づいて判定する（Ｓ６３０）。受信した変動パターンコマンドは、ＲＡＭ１０３の記憶領域に設けられたコマンド格納領域に記憶されている。演出制御用ＣＰＵ１０１は、ＲＡＭ１０３の記憶領域を参照し、今回実行される変動表示を示す領域に第１スーパーリーチの変動パターンコマンドが格納されているか否かにより、第１スーパーリーチの変動パターンであるか否かを判定する。第１スーパーリーチの変動パターンでなければ（Ｓ６３０でＮ）、その他の演出を決定し（Ｓ６３７）、処理を終了する。一方、第１スーパーリーチの変動パターンであれば（Ｓ６３０でＹ）、今回の変動表示の表示結果が大当りか否か（はずれか）を判定する（Ｓ６３１）。今回の変動表示結果が大当りか否かは、今回実行される変動表示の表示結果が大当りであるか否かを今回の変動表示を実行するときに受信された表示結果コマンド等により判定する。
【０１９８】
今回の変動表示の表示結果が大当りである場合には（Ｓ６３１でＹ）、ＳＲ２の値を抽出し、抽出した乱数値と図１３（Ａ）に示す大当り時図柄煽り演出実行決定テーブルとを用いて、図柄煽り演出の実行の有無および、実行される場合には、図柄煽り演出の内容（５ラインリーチ演出、４ラインリーチ演出、および３ラインリーチ演出のうちいずれを実行するか）を決定する（Ｓ６３２）。
【０１９９】
次いで、Ｓ６３３において、Ｓ６３２の決定結果に基づいて、図柄煽り演出が実行ありと決定されたか否かを判定する。図柄煽り演出の実行が決定されていなければ（Ｓ６３３でＮ）、その他の演出を決定し（Ｓ６３７）、処理を終了する。図柄煽り演出の実行が決定されていれば（Ｓ６３３でＹ）、Ｓ６３４において、拡大画像による図柄煽り演出を設定し、キャラクタ画像の表示およびぼかしタイミングを設定する。次いで、Ｓ６３５において、ＳＲ３の値を抽出し、抽出した乱数値と図１３（Ｃ）に示す大当り時エフェクト画像決定テーブルとにより、施されるエフェクト画像の態様を決定する。次いで、Ｓ６３６において、Ｓ６３５の決定結果に基づいて、決定されたエフェクト画像の態様で図柄煽り演出を実行するように設定する。次いで、その他の演出を決定し（Ｓ６３７）、処理を終了する。
【０２００】
Ｓ６３１において、今回の変動表示の表示結果がはずれである場合には（Ｓ６３１でＮ）、ＳＲ２の値を抽出し、抽出した乱数値と図１３（Ｂ）に示すはずれ時図柄煽り演出実行決定テーブルとを用いて、図柄煽り演出の実行の有無および、実行される場合には、図柄煽り演出の内容（５ラインリーチ演出、４ラインリーチ演出、および３ラインリーチ演出のうちいずれを実行するか）を決定する（Ｓ６３８）。
【０２０１】
次いで、Ｓ６３９において、Ｓ６３８の決定結果に基づいて、図柄煽り演出が実行ありと決定されたか否かを判定する。図柄煽り演出の実行が決定されていなければ（Ｓ６３９でＮ）、Ｓ６４０からＳ６４２までの処理を行なわずに、その他の演出を決定し（Ｓ６３７）、処理を終了する。図柄煽り演出の実行が決定されていれば（Ｓ６３９でＹ）、Ｓ６４０において、拡大画像による図柄煽り演出を設定し、キャラクタ画像の表示およびぼかしタイミングを設定する。次いで、Ｓ６４１において、ＳＲ３の値を抽出し、抽出した乱数値と図１３（Ｄ）に示すはずれ時エフェクト画像決定テーブルとにより、施されるエフェクト画像の態様を決定する。次いで、Ｓ６４２において、Ｓ６４１の決定結果に基づいて、決定されたエフェクト画像の態様で図柄煽り演出を実行するように設定する。次いで、その他の演出を決定し（Ｓ６３７）、処理を終了する。
【０２０２】
なお、キャラクタ画像の表示およびぼかしタイミングをＳ６３４，Ｓ６４０の処理において設定する場合を説明した。しかし、キャラクタ画像の表示やぼかしタイミングが予め定められており、そのタイミングで映像のデータが再生されるようにしてもよい。
【０２０３】
次に、図１５を参照して、所定の演出中に調整結果画像が表示される場合の一例を説明する。図１５は、調整結果画像の表示例を示す図である。調整結果画像とは、演出効果としての音量を調整可能にしたときの音量の調整結果を示す画像である。なお、調整結果画像は、演出効果としての光量を調整可能にしたときの光量の調整結果を示す画像であってもよい。また、音量および光量の両方を含む画像が表示されるようにしてもよい。
【０２０４】
演出図柄の変動表示が実行され、図１５（Ａ）に示すように演出図柄の変動表示状態がリーチ状態となると、ノーマルリーチにおける所定のリーチ演出が実行され、その後、図１５（Ｂ）に示すような発展報知画像（図示例では「スーパーリーチ！」）を演出表示装置９に表示することにより、スーパーリーチへの発展報知が行われる。変動中において、遊技者による調整操作がなされると、図１５（Ｂ）に示すように演出表示装置９の右下端に調整結果画像Ｒが表示される。ここで、調整結果画像Ｒの視認性は、低下しない状態（視認性の高い状態）で表示される。
【０２０５】
このような発展報知に続いて、図１５（Ｃ）に示すようなスーパーリーチにおけるリーチ演出の実行中に操作促進画像Ｐが表示される（操作促進表示の開始）。そして、プッシュボタン１２０による操作がなされると、図１５（Ｄ）に示すように、所定のカットイン演出が実行される。なお、操作促進画像Ｐの表示期間中にプッシュボタン１２０による操作がなされない場合には、カットイン演出は実行されない。その後、図１５（Ｅ）に示すように、例えば大当り組み合わせの最終停止図柄が導出表示される。
【０２０６】
調整操作がなされてから所定期間Ｔ１が経過するまでは、図１５（Ｂ）〜（Ｄ）に示すように、調整結果画像Ｒは演出表示装置９に表示されたままである。この場合、調整結果画像Ｒは、発展報知画像や操作促進画像Ｐとは重畳しない位置に表示される。しかし、変動表示結果の導出表示期間Ｔ２においては、所定期間Ｔ１が経過していなくとも、図１５（Ｅ）に示すように調整結果画像Ｒは消去される。これにより、導出表示される可変表示結果の認識性の低下を抑えることができる。
【０２０７】
次に、以上に説明した実施の形態の変形例や特徴点等を以下に列挙する。
（１）  前述した実施の形態では、背景画像をぼかすことにより、数字図柄Ｆ１を強調表示する場合を説明した。しかし、背景画像に別画像を重畳させることにより、背景画像の視認性を低下させ、数字図柄Ｆ１を強調表示してもよい。たとえば、図柄煽り演出において、数字図柄Ｆ１が背景画像と重畳するタイミングにおいて背景画像にカーテンを閉めるように動く態様のカーテン画像を重畳させ、そのカーテン画像の前景に数字図柄Ｆ１が配置されるようにすればよい。このようにすれば、背景画像に別画像を重畳することにより、数字図柄Ｆ１を強調した表示とすることができる。
【０２０８】
（２）  前述した実施の形態では、背景画像を暗くして表示すること、背景画像を小さく表示すること、背景画像をシルエット表示すること等により、数字図柄Ｆ１と背景画像とが重畳表示されるときの背景画像の視認性を低下させるようにしてもよい。
【０２０９】
（３）  前述した実施の形態では、数字図柄Ｆ１とエフェクト画像Ｆ２とは、背景画像に対して、視認性が低下しない場合について説明した。しかしながら、数字図柄Ｆ１が停止するか否かの演出を実行するタイミング以外のタイミングにおいては、エフェクト画像Ｆ２の視認性を低下させるようにしてもよい。なお、エフェクト画像Ｆ２視認性を低下させたときの表示態様は、低下したとしても背景画像の視認性を低下させたときの表示態様よりも視認性が高いことが望ましい。
【０２１０】
（４）  前述した実施の形態では、遊技者のプッシュボタン１２０への動作がプッシュセンサ１２４により検出されることにより操作演出が実行されるようにしてもよい。操作演出とは、図柄煽り演出中にボタン画像を表示し、遊技者にプッシュボタン１２０を操作させることで、図柄煽り演出で表示される数字図柄Ｆ１が停止されるように見せる演出である。たとえば、リーチラインに対応する数字図柄Ｆ１が表示されたときに、ボタン画像を表示させ、ボタン連打により数字図柄Ｆ１の降下速度が遅くなったり、ボタン連打により降下する数字図柄Ｆ１が徐々に拡大されていくような演出である。このようにすれば、背景画像の視認性が低下しているときの演出の興趣を向上することができる。
【０２１１】
（５）  前述した実施の形態では、スーパーリーチのうち、第１スーパーリーチを対象として背景画像の視認性を低下させる場合について説明した。しかしながら、第１スーパーリーチ以外のスーパーリーチで背景画像の視認性を低下させるようにしてもよい。また、その他の変動パターンを対象として背景画像の視認性を低下させるようにしてもよい。また、背景画像の視認性を低下させるタイミングは、通常変動中や擬似連演出の図柄の仮停止のタイミング等の図柄煽り演出以外のタイミングで実行されるようにしてもよい。
【０２１２】
（６）  前述した実施の形態では、図柄煽り演出において、最終の図柄煽り時にエフェクト画像がその他の場合よりも拡大したエフェクト画像で表示される場合を説明した。このように、最終の図柄煽り時には、エフェクト画像の態様によりその他のタイミングよりも背景画像の視認性を低下させることができる。しかし、拡大したエフェクト画像以外の演出により視認性を低下させるようにしてもよい。たとえば、最終の図柄煽り時にぼかしの度合いが他のタイミングよりも大きくなるようにしてもよい。また、図柄煽りごとにぼかしの度合いを大きくするとともにエフェクト画像も拡大するようにしてもよい。
【０２１３】
（７）  前述した実施の形態では、保留表示の視認性は、常に高い状態で表示される場合を説明した。保留表示以外にも第１特別図柄や第２特別図柄の変動表示に同期して演出表示装置９の画面上で変動表示される第４図柄についても常に視認性が高い状態で表示されるようにしてもよい。また、視認性の違いを複数段階設け、タイミングに応じて、視認性の段階が変化するようにしてもよい。また、保留表示や第４図柄等の視認性を背景画像の視認性を低下させるときに合わせて低下させるようにしてもよい。
【０２１４】
（８）  前述した実施の形態では、視認性の変化タイミングについて以下のようなタイミングであってもよい。たとえば、視認性の低下開始タイミングとして、図柄煽り演出開始後すぐに視認性が低下するようにしてもよいし、数字図柄が表示画面の中央に来たタイミングから視認性が低下するようにしてもよい。また、視認性を向上させるタイミングとして、はずれ図柄となる数字が流れたタイミング（スピードが上がったタイミング）から視認性を向上させてよいし、数字図柄からエフェクト画像が消えたタイミングから視認性を向上させてもよい。
【０２１５】
（９）  前述した実施の形態では、図柄煽り演出において、はずれ図柄となる数字が流れる動作（スピードが上がる動作）のパターンを複数設けるようにしてもよい。たとえば、数字図柄が低速から中速で流れるパターンと、数字図柄が低速から高速で流れるパターンを設けてもよい。また、大当り期待度に応じて、数字が流れる動作パターンが異なるようにしてもよい。
【０２１６】
（１０）  前述した実施の形態では、いずれの数字で図柄煽り演出が実行されるかにより、大当り期待度が異なるようにしてもよい。たとえば、最終煽り図柄が７である場合には、その他の図柄で最終煽りが実行されるよりも期待度を高くしてもよい。このような場合に、大当り期待度により、拡大される数字図柄やエフェクト画像の大きさが異なるようにしてもよい。また、大当り期待度により、エフェクト画像の形や色等が異なるようにしてもよい。
【０２１７】
（１１）  前述した実施の形態では、遊技機としてパチンコ機を例にしたが、前述した実施の形態に示した各種の設定は、メダルが投入されて所定の賭け数が設定され、遊技者による操作レバーの操作に応じて複数種類の図柄を回転させ、遊技者によるストップボタンの操作に応じて表示手段における図柄を停止させたときに停止図柄の組合せが特定の図柄の組合せになると、所定数のメダルが遊技者に払出されるスロットマシン（スロット機）に適用することも可能である。具体的には、スロットマシンにおいて設けられた演出表示装置等の表示装置において、図柄煽り演出が実行されるようにすればよい。
【０２１８】
（１２）  前述した実施の形態では、遊技者にとって有利な有利状態として、大当り遊技状態を代表例として説明した。しかし、これに限らず、遊技者にとって有利な有利状態としては、高確率状態（確変状態）、時短状態、および、高ベース状態等のその他の有利状態が含まれてもよい。
【０２１９】
（１３）  本実施の形態として、入賞の発生に応じて遊技媒体を遊技者の手元に払い出す遊技機を説明したが、遊技媒体が封入され、入賞の発生に応じて遊技媒体を遊技者の手元に払い出すことなく遊技点（得点）を加算する封入式の遊技機を採用してもよい。封入式の遊技機には、遊技媒体の一例となる複数の玉を遊技機内で循環させる循環経路が形成されているとともに、遊技点を記憶する記憶部が設けられており、玉貸操作に応じて遊技点が記憶部に加算され、玉の発射操作に応じて遊技点が記憶部から減算され、入賞の発生に応じて遊技点が記憶部に加算されるものである。
【０２２０】
（１４）  前述した実施の形態では、たとえば「１」〜「９」の複数種類の特別図柄や演出図柄を変動表示し表示結果を導出表示する場合を示したが、変動表示は、そのような態様にかぎられない。例えば、変動表示される図柄と導出表示される図柄とが必ずしも同じである必要はなく、変動表示された図柄とは異なる図柄が導出表示されるものであってもよい。また、必ずしも複数種類の図柄を変動表示する必要はなく、１種類の図柄のみを用いて変動表示を実行するものであってもよい。この場合、例えば、その１種類の図柄表示を交互に点灯および点滅を繰り返すことによって、変動表示を実行するものであってもよい。そして、この場合であっても、その変動表示に用いられる１種類の図柄が最後に導出表示されるものであってもよいし、その１種類の図柄とは異なる図柄が最後に導出表示されるものであってもよい。
【０２２１】
（１５）  前述した実施の形態では、「割合（比率、確率）」として、０％を越える所定の値を具体例に挙げて説明した。しかしながら、「割合（比率、確率）」としては、０％であってもよい。たとえば、所定の遊技期間における所定の遊技状態１の発生割合と他の遊技状態２との発生割合とを比較して、「一方の発生割合が他方の発生割合よりも高い」とした場合には、一方の遊技状態の発生割合が０％の場合も含んでいる。
【０２２２】
（１６）  前述した実施の形態では、変動表示の表示結果を確変大当りとすることが決定されたときの変動表示結果が導出表示された後、大当り遊技状態の終了後に、無条件で確変状態に制御される確変状態制御例を示した。しかし、これに限らず、特別可変入賞球装置２０における大入賞口内に設けられた特定領域を遊技球が通過したことが検出手段により検出されたときに、確変状態に制御される、確変判定装置タイプの確変状態制御が実行されるようにしてもよい。
【０２２３】
（１７）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０２２４】
１  パチンコ遊技機、９  演出表示装置、Ｄ１，Ｄ２  キャラクタ画像、Ｆ１  数字図柄、Ｆ２  エフェクト画像、Ｈ  保留表示、１００  演出制御用マイクロコンピュータ、５６０  遊技制御用マイクロコンピュータ。
【図１】
2018099450.tif 000003
【図２】
2018099450.tif 000004
【図３】
2018099450.tif 000005
【図４】
2018099450.tif 000006
【図５】
2018099450.tif 000007
【図６】
2018099450.tif 000008
【図７】
2018099450.tif 000009
【図８】
2018099450.tif 000010
【図９】
2018099450.tif 000011
【図１０】
2018099450.tif 000012
【図１１】
2018099450.tif 000013
【図１２】
2018099450.tif 000014
【図１３】
2018099450.tif 000015
【図１４】
2018099450.tif 000016
【図１５】
2018099450.tif 000017